(57)【要約】  本願発明の実施形態は、測位情報伝送方法、関連デバイス、およびシステムを開示する。当該測位情報伝送方法は、アップリンク信号を保持するためのアップリンクサブフレームを決定する段階と、ダウンリンク信号を保持するためのダウンリンクサブフレームを決定する段階と、第１の測定情報を決定する段階であって、第１の測定情報は、アップリンク信号の受信時間とダウンリンク信号の送信時間との間の差を含むか、または、第１の測定情報は、ダウンリンク信号の受信時間とアップリンク信号の送信時間との間の差を含む、段階と、第２の測定情報を決定する段階であって、第２の測定情報は、アップリンクサブフレームとダウンリンクサブフレームとの間の差を示すために用いられる、段階と、測位サーバ端末機器を位置特定するために第１の測定情報および第２の測定情報を測位サーバへ送信する段階とを備える。測位精度は、本願発明の実施形態を用いることによって向上することができる。
2019536016.tif 000002
【特許請求の範囲】
【請求項１】
測位情報伝送方法であって、前記方法は、基地局に適用され、前記方法は、
アップリンク信号を保持するためのアップリンクサブフレームを決定する段階と、
ダウンリンク信号を保持するためのダウンリンクサブフレームを決定する段階と、
第１の測定情報を決定する段階であって、前記第１の測定情報は、前記アップリンク信号の受信時間と、前記ダウンリンク信号の送信時間との間の差を含むか、または、前記第１の測定情報は、前記ダウンリンク信号の受信時間と、前記アップリンク信号の送信時間との間の差を含む、段階と、
第２の測定情報を決定する段階であって、前記第２の測定情報は、前記アップリンクサブフレームと前記ダウンリンクサブフレームとの間の差を示すために用いられる、段階と、
測位サーバにより端末機器を位置付けするために、前記第１の測定情報および前記第２の測定情報を前記測位サーバへ送信する段階と
を備える、
測位情報伝送方法。
【請求項２】
前記アップリンクサブフレームと前記ダウンリンクサブフレームの間の前記差は、前記アップリンクサブフレームのサブフレーム識別子と、前記ダウンリンクサブフレームのサブフレーム識別子との間の差を用いることによって取得される、請求項１に記載の方法。
【請求項３】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、
請求項１に記載の方法。
【請求項４】
前記第２の測定情報を測位サーバへ送信する前記段階の前に、前記方法はさらに、
識別情報を前記測位サーバへ送信する段階であって、前記識別情報は、前記基地局が前記第２の測定情報を送信する能力を有することを示すために用いられる、段階と、
前記測位サーバにより前記識別情報に応じてフィードバックされた測定情報取得要求が受信されたとき、前記第２の測定情報を前記測位サーバへ送信する段階と
を備える、
請求項１に記載の方法。
【請求項５】
測位情報伝送方法であって、前記方法は、基地局に適用され、前記方法は、
第３の測定情報を決定する段階であって、前記第３の測定情報は、前記基地局と端末機器との間の距離を示すために用いられるか、または、前記第３の測定情報は、アップリンク信号の伝送時間および／またはダウンリンク信号の伝送時間を示すために用いられる、段階と、
測位サーバにより前記端末機器を位置付けするために、前記第３の測定情報を前記測位サーバへ送信する段階と
を備える、
測位情報伝送方法。
【請求項６】
第３の測定情報を決定する前記段階は、
前記端末機器により送信された前記第３の測定情報を受信する段階を含む、
請求項５に記載の方法。
【請求項７】
第３の測定情報を決定する前記段階は、
第１の測定情報を決定する段階であって、前記第１の測定情報は、前記アップリンク信号の受信時間と、前記ダウンリンク信号の送信時間との間の差を含むか、または、前記第１の測定情報は、前記ダウンリンク信号の受信時間と前記アップリンク信号の送信時間との間の差を含む、段階と、
前記端末機器により送信された第２の測定情報を受信する段階であって、前記第２の測定情報は、前記アップリンク信号を保持するためのアップリンクサブフレームと、前記ダウンリンク信号を保持するためのダウンリンクサブフレームとの間の差を示すために用いられる、段階と、
前記第１の測定情報および前記第２の測定情報に基づき、前記第３の測定情報を計算する段階と
を含む、請求項５に記載の方法。
【請求項８】
前記アップリンクサブフレームと前記ダウンリンクサブフレームとの間の前記差は、前記アップリンクサブフレームのサブフレーム識別子と、前記ダウンリンクサブフレームのサブフレーム識別子との間の差を用いることによって取得される、請求項７に記載の方法。
【請求項９】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項７に記載の方法。
【請求項１０】
前記第３の測定情報を測位サーバへ送信する前記段階の前に、前記方法はさらに、
識別情報を前記測位サーバへ送信する段階であって、前記識別情報は、前記基地局が前記第３の測定情報を送信する能力を有することを示すために用いられる、段階と、
前記測位サーバにより前記識別情報に応じてフィードバックされた測定情報取得要求が受信されたとき、前記第３の測定情報を前記測位サーバへ送信する段階と
を含む、請求項５に記載の方法。
【請求項１１】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離とを含む、請求項５に記載の方法。
【請求項１２】
測位情報伝送方法であって、前記方法は、端末機器に適用され、前記方法は、
第１の測定情報を決定する段階であって、前記第１の測定情報は、ダウンリンク信号の受信時間とアップリンク信号の送信時間との間の差を含む、段階と、
測位サーバにより前記端末機器を位置特定するために、前記第１の測定情報を前記測位サーバへ送信する段階と
を備える、
測位情報伝送方法。
【請求項１３】
前記方法はさらに、
前記アップリンク信号を保持するためのアップリンクサブフレームを決定する段階と、
前記ダウンリンク信号を保持するためのダウンリンクサブフレームを決定する段階と、
第２の測定情報を決定する段階であって、前記第２の測定情報は、前記アップリンクサブフレームと前記ダウンリンクサブフレームとの間の差を示すために用いられる、段階と、
前記第１の測定情報および前記第２の測定情報に基づき、第３の測定情報を計算する段階であって、前記第３の測定情報は、基地局と前記端末機器との間の距離を示すために用いられるか、または、前記第３の測定情報は、前記アップリンク信号の伝送時間および／または前記ダウンリンク信号の伝送時間を示すために用いられる、段階と、
前記測位サーバにより前記端末機器を位置特定するために、前記第３の測定情報を前記測位サーバへ送信する段階と
を備える、請求項１２に記載の方法。
【請求項１４】
前記方法はさらに、
前記アップリンク信号を保持するためのアップリンクサブフレームを決定する段階と、
前記ダウンリンク信号を保持するためのダウンリンクサブフレームを決定する段階と、
第２の測定情報を決定する段階であって、前記第２の測定情報は、前記アップリンクサブフレームと前記ダウンリンクサブフレームとの間の差を示すために用いられる、段階と、
前記第２の測定情報を前記測位サーバへ送信する段階と
を備える、請求項１２に記載の方法。
【請求項１５】
前記方法はさらに、
前記アップリンク信号を保持するためのアップリンクサブフレームを決定する段階と、
前記ダウンリンク信号を保持するためのダウンリンクサブフレームを決定する段階と、
第２の測定情報を決定する段階であって、前記第２の測定情報は、前記アップリンクサブフレームと前記ダウンリンクサブフレームとの間の差を示すために用いられる、段階と、
前記第２の測定情報を基地局へ送信する段階と
を備える、請求項１２に記載の方法。
【請求項１６】
前記アップリンクサブフレームと前記ダウンリンクサブフレームとの間の前記差は、前記アップリンクサブフレームのサブフレーム識別子と前記ダウンリンクサブフレームのサブフレーム識別子との間の差を用いることによって取得される、請求項１５に記載の方法。
【請求項１７】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項１５に記載の方法。
【請求項１８】
前記第２の測定情報を前記測位サーバへ送信する前記段階の前に、前記方法はさらに、
識別情報を前記測位サーバへ送信する段階であって、前記識別情報は、前記端末機器が前記第２の測定情報を送信する能力を有することを示すために用いられる、段階と、
前記測位サーバにより前記識別情報に応じてフィードバックされた測定情報取得要求が受信されたとき、前記第２の測定情報を前記測位サーバへ送信する段階と
を備える、請求項１５に記載の方法。
【請求項１９】
前記第３の測定情報を前記測位サーバへ送信する前記段階の前に、前記方法はさらに、
識別情報を前記測位サーバへ送信する段階であって、前記識別情報は、前記端末機器が前記第３の測定情報を送信する能力を有することを示すために用いられる、段階と、
前記測位サーバにより前記識別情報に応じてフィードバックされた測定情報取得要求が受信されたとき、前記第３の測定情報を前記測位サーバへ送信する段階と
を備える、請求項１３に記載の方法。
【請求項２０】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離と
を含む、請求項１３に記載の方法。
【請求項２１】
測位情報伝送方法であって、前記方法は測位サーバに適用され、前記方法は、
第１の測定情報および第２の測定情報を受信する段階であって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含み、前記第２の測定情報は、前記アップリンク信号を保持するためのアップリンクサブフレームと、前記ダウンリンク信号を保持するためのダウンリンクサブフレームとの間の差を示すために用いられる、段階と、
前記第１の測定情報および前記第２の測定情報に基づき、端末機器を位置特定する段階と
を備える、
測位情報伝送方法。
【請求項２２】
前記方法はさらに、
第３の測定情報を受信する段階であって、前記第３の測定情報は、前記基地局と前記端末機器との間の距離を示すために用いられるか、または、前記第３の測定情報は、前記アップリンク信号の伝送時間および／または前記ダウンリンク信号の伝送時間を示すために用いられる、段階と、
前記第３の測定情報に基づき、前記端末機器を位置特定する段階と
を備える、請求項２１に記載の方法。
【請求項２３】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項２１に記載の方法。
【請求項２４】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離と
を含む、請求項２２に記載の方法。
【請求項２５】
基地局であって、前記基地局は、
アップリンク信号を保持するためのアップリンクサブフレームを決定するよう構成されるサブフレーム決定モジュールであって、前記サブフレーム決定モジュールはさらにダウンリンク信号を保持するためのダウンリンクサブフレームを決定するよう構成される、サブフレーム決定モジュールと、
第１の測定情報を決定するよう構成される測定情報決定モジュールであって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含み、前記測定情報決定モジュールはさらに、前記アップリンクサブフレームと前記ダウンリンクサブフレームとの間の差を示すために用いられる第２の測定情報を決定するよう構成される、測定情報決定モジュールと、
測位サーバにより端末機器を位置特定するために、前記第１の測定情報および前記第２の測定情報を前記測位サーバへ送信するよう構成される測定情報送信モジュールと
を備える、
基地局。
【請求項２６】
前記アップリンクサブフレームと前記ダウンリンクサブフレームとの間の前記差は、前記アップリンクサブフレームのサブフレーム識別子と、前記ダウンリンクサブフレームのサブフレーム識別子との間の差を用いることによって取得される、請求項２５に記載の基地局。
【請求項２７】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項２５に記載の基地局。
【請求項２８】
前記基地局はさらに、
前記測定情報送信モジュールが前記第２の測定情報を前記測位サーバへ送信する前に、識別情報を前記測位サーバへ送信するよう構成される識別情報送信モジュールを備え、
前記識別情報は、前記基地局が前記第２の測定情報を送信する能力を有することを示すために用いられ、
前記測定情報送信モジュールはさらに、前記測位サーバにより前記識別情報に応じてフィードバックされた測定情報取得要求が受信されたとき、前記第２の測定情報を前記測位サーバへ送信するよう構成される、請求項２５に記載の基地局。
【請求項２９】
プロセッサと、メモリと、トランスミッタと、受信機とを備える基地局であって、
前記メモリは、一セットのプログラムコードを記憶し、前記プロセッサは、前記メモリに記憶されている前記プログラムコードを呼び出して、
アップリンク信号を保持するためのアップリンクサブフレームを決定する動作と、
ダウンリンク信号を保持するためにダウンリンクサブフレームを決定する動作と、
第１の測定情報を決定する動作であって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含む、動作と、
第２の測定情報を決定する動作であって、前記第２の測定情報は、前記アップリンクサブフレームと前記ダウンリンクサブフレームとの間の差を示すために用いられる、動作と、
測位サーバにより端末機器を位置特定するために、前記第１の測定情報および前記第２の測定情報を前記測位サーバへ送信する動作と
を実行する、
基地局。
【請求項３０】
基地局であって、前記基地局は、
第３の測定情報を決定するよう構成される測定情報決定モジュールであって、前記第３の測定情報は、前記基地局と端末機器との間の距離を示すために用いられるか、または、前記第３の測定情報は、アップリンク信号の伝送時間および／またはダウンリンク信号の伝送時間を示すために用いられる、測定情報決定モジュールと、
測位サーバにより前記端末機器を位置特定するために、前記第３の測定情報を前記測位サーバへ送信するよう構成される測定情報送信モジュールと
を備える、
基地局。
【請求項３１】
前記測定情報決定モジュールは具体的に、前記端末機器により送信された前記第３の測定情報を受信するよう構成される、請求項３０に記載の基地局。
【請求項３２】
前記測定情報決定モジュールは具体的に、
前記アップリンク信号の受信時間と前記ダウンリンク信号の送信時間との間の差を含むか、または、前記ダウンリンク信号の受信時間と前記アップリンク信号の送信時間との間の差を含む第１の測定情報を決定し、
前記端末機器により送信された、前記アップリンク信号を保持するためのアップリンクサブフレームと前記ダウンリンク信号を保持するためのダウンリンクサブフレームとの間の差を示すために用いられる第２の測定情報を受信し、
前記第１の測定情報および前記第２の測定情報に基づき、前記第３の測定情報を計算する
よう構成される、
請求項３０に記載の基地局。
【請求項３３】
前記アップリンクサブフレームと前記ダウンリンクサブフレームとの間の前記差は、前記アップリンクサブフレームのサブフレーム識別子と前記ダウンリンクサブフレームのサブフレーム識別子との間の差を用いることによって取得される、請求項３２に記載の基地局。
【請求項３４】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項３２に記載の基地局。
【請求項３５】
前記基地局はさらに、
前記測定情報送信モジュールが前記第３の測定情報を前記測位サーバへ送信する前に、識別情報を前記測位サーバへ送信するよう構成される識別情報送信モジュールであって、前記識別情報は、前記基地局が前記第３の測定情報を送信する能力を有することを示すために用いられる、識別情報送信モジュールを備え、
前記測定情報送信モジュールはさらに、前記測位サーバにより前記識別情報に応じてフィードバックされた測定情報取得要求が受信されたとき、前記第３の測定情報を前記測位サーバへ送信するよう構成される、
請求項３０に記載の基地局。
【請求項３６】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離とを含む、請求項３０に記載の基地局。
【請求項３７】
プロセッサと、メモリと、トランスミッタと、受信機とを備える基地局であって、
前記メモリは、一セットのプログラムコードを記憶し、前記プロセッサは、前記メモリに記憶されている前記プログラムコードを呼び出して、
第３の測定情報を決定する動作であって、前記第３の測定情報は、前記基地局と端末機器との間の距離を示すために用いられるか、または、前記第３の測定情報は、アップリンク信号の伝送時間および／またはダウンリンク信号の伝送時間を示すために用いられる、動作と、
測位サーバにより前記端末機器を位置特定するために、前記第３の測定情報を前記測位サーバへ送信する動作と
を実行する、
基地局。
【請求項３８】
端末機器であって、前記端末機器は、
ダウンリンク信号の受信時間とアップリンク信号の送信時間との間の差を含む第１の測定情報を決定するよう構成される測定情報決定モジュールと、
測位サーバにより前記端末機器を位置特定するために前記第１の測定情報を前記測位サーバへ送信するよう構成される測定情報送信モジュールと
を備える、
端末機器。
【請求項３９】
前記端末機器はさらに、
前記アップリンク信号を保持するためのアップリンクサブフレームを決定するよう構成されるサブフレーム決定モジュールを備え、
前記サブフレーム決定モジュールはさらに、前記ダウンリンク信号を保持するためのダウンリンクサブフレームを決定するよう構成され、
前記測定情報決定モジュールはさらに、第２の測定情報を決定するよう構成され、前記第２の測定情報は、前記アップリンクサブフレームと前記ダウンリンクサブフレームとの間の差を示すために用いられ、
前記測定情報決定モジュールはさらに、前記第１の測定情報および前記第２の測定情報に基づき、第３の測定情報を計算するよう構成され、前記第３の測定情報は、基地局と前記端末機器との間の距離を示すために用いられるか、または、前記第３の測定情報は、前記アップリンク信号の伝送時間および／または前記ダウンリンク信号の伝送時間を示すために用いられ、
前記測定情報送信モジュールはさらに、前記測位サーバにより前記端末機器を位置特定するために、前記第３の測定情報を前記測位サーバへ送信するよう構成される、
請求項３８に記載の端末機器。
【請求項４０】
前記端末機器はさらに、
前記アップリンク信号を保持するためのアップリンクサブフレームを決定するよう構成されるサブフレーム決定モジュールを備え、
前記サブフレーム決定モジュールはさらに、前記ダウンリンク信号を保持するためのダウンリンクサブフレームを決定するよう構成され、
前記測定情報決定モジュールはさらに、第２の測定情報を決定するよう構成され、前記第２の測定情報は、前記アップリンクサブフレームと前記ダウンリンクサブフレームとの間の差を示すために用いられ、
前記測定情報送信モジュールはさらに、前記第２の測定情報を前記測位サーバへ送信するよう構成される、請求項３８に記載の端末機器。
【請求項４１】
前記端末機器はさらに、
前記アップリンク信号を保持するためのアップリンクサブフレームを決定するよう構成されるサブフレーム決定モジュールを備え、
前記サブフレーム決定モジュールはさらに、前記ダウンリンク信号を保持するためのダウンリンクサブフレームを決定するよう構成され、
前記測定情報決定モジュールはさらに、第２の測定情報を決定するよう構成され、前記第２の測定情報は、前記アップリンクサブフレームと前記ダウンリンクサブフレームとの間の差を示すために用いられ、
前記測定情報送信モジュールはさらに、前記第２の測定情報を基地局へ送信するよう構成される、
請求項３８に記載の端末機器。
【請求項４２】
前記アップリンクサブフレームと前記ダウンリンクサブフレームの間の前記差は、前記アップリンクサブフレームのサブフレーム識別子と前記ダウンリンクサブフレームのサブフレーム識別子との間の差を用いることによって取得される、請求項４１に記載の端末機器。
【請求項４３】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項４１に記載の端末機器。
【請求項４４】
前記端末機器はさらに、
前記測定情報送信モジュールが前記第２の測定情報を前記測位サーバへ送信する前に、識別情報を前記測位サーバへ送信するよう構成される識別情報送信モジュールであって、前記識別情報は、前記端末機器が前記第２の測定情報を送信する能力を有することを示すために用いられる、識別情報送信モジュールを備え、
前記測定情報送信モジュールはさらに、前記測位サーバにより前記識別情報に応じてフィードバックされた測定情報取得要求が受信されたとき、前記第２の測定情報を前記測位サーバへ送信するよう構成される、請求項４１に記載の端末機器。
【請求項４５】
前記端末機器はさらに、
前記測定情報送信モジュールが前記第３の測定情報を前記測位サーバへ送信する前に、識別情報を前記測位サーバへ送信するよう構成される識別情報送信モジュールを備え、前記識別情報は、前記端末機器が前記第３の測定情報を送信する能力を有することを示すために用いられ、
前記測定情報送信モジュールはさらに、前記測位サーバにより前記識別情報に応じてフィードバックされた測定情報取得要求が受信されたとき、前記第３の測定情報を前記測位サーバへ送信するよう構成される、
請求項３９に記載の端末機器。
【請求項４６】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離とを含む、請求項３９に記載の端末機器。
【請求項４７】
プロセッサと、メモリと、トランスミッタと、受信機とを備える端末機器であって、前記メモリは、一セットのプログラムコードを記憶し、前記プロセッサは、前記メモリに記憶されている前記プログラムコードを呼び出して、
第１の測定情報を決定する動作であって、前記第１の測定情報は、ダウンリンク信号の受信時間とアップリンク信号の送信時間との間の差を含む、動作と、
測位サーバにより前記端末機器を位置特定するために、前記第１の測定情報を前記測位サーバへ送信する動作と
を実行する、
端末機器。
【請求項４８】
測位サーバであって、前記測位サーバは、
第１の測定情報および第２の測定情報を受信するよう構成される測定情報受信モジュールであって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含み、前記第２の測定情報は、前記アップリンク信号を保持するためのアップリンクサブフレームと前記ダウンリンク信号を保持するためのダウンリンクサブフレームとの間の差を示すために用いられる、測定情報受信モジュールと、
前記第１の測定情報および前記第２の測定情報に基づき、端末機器を位置特定するよう構成される測位モジュールと
を備える、
測位サーバ。
【請求項４９】
前記測定情報受信モジュールはさらに、
第３の測定情報を受信するよう構成され、前記第３の測定情報は、前記基地局と前記端末機器との間の距離を示すために用いられるか、または前記第３の測定情報は、前記アップリンク信号の伝送時間および／または前記ダウンリンク信号の伝送時間を示すために用いられ、
前記測位モジュールはさらに、前記第３の測定情報に基づき、前記端末機器を位置特定するよう構成される、
請求項４８に記載の測位サーバ。
【請求項５０】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項４８に記載の測位サーバ。
【請求項５１】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離とを含む、請求項４９に記載の測位サーバ。
【請求項５２】
プロセッサと、メモリと、トランスミッタと、受信機とを備える測位サーバであって、前記メモリは、一セットのプログラムコードを記憶し、前記プロセッサは、前記メモリに記憶されている前記プログラムコードを呼び出して、
第１の測定情報および第２の測定情報を受信する動作であって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含み、前記第２の測定情報は、前記アップリンク信号を保持するためのアップリンクサブフレームと、前記ダウンリンク信号を保持するためのダウンリンクサブフレームとの間の差を示すために用いられる、動作と、
前記第１の測定情報および前記第２の測定情報に基づき、端末機器を位置特定する動作と
を実行する、
測位サーバ。
【請求項５３】
請求項２５から２８の何れか一項に記載の基地局と、請求項３８から４６の何れか一項に記載の端末機器と、請求項４８から５１の何れか一項に記載の測位サーバとを備える測位情報伝送システム。
【請求項５４】
請求項３０から３６の何れか一項に記載の基地局と、請求項３８から４６の何れか一項に記載の端末機器と、請求項４８から５１の何れか一項に記載の測位サーバとを備える測位情報伝送システム。
【発明の詳細な説明】
【技術分野】
【０００１】
本願発明は、通信技術分野に関し、特に測位情報伝送方法、関連デバイス、およびシステムに関する。
【背景技術】
【０００２】
通信サービスの発展に伴い、測位サービスが、移動通信または個人通信サービスの不可欠な部分として重要な役割を担っている。測位サービスは、移動体通信事業者のネットワーク（ＬＴＥネットワークなど）を用いることによって端末機器（Ｕｓｅｒ  Ｅｑｕｉｐｍｅｎｔ、ＵＥ）の位置情報（経緯度座標）を取得するものであり、例えば、基地局とＵＥとの間の距離を推定して、基地局の位置情報、および基地局とＵＥとの間の距離に基づき、ＵＥの位置情報を決定する。基地局とＵＥとの間の距離は、アップリンク信号を保持するためのアップリンクサブフレームとダウンリンク信号を保持するためのダウンリンクサブフレームとの間の差を用いることによって取得され得る。しかしながら、基地局がアップリンクサブフレームまたはダウンリンクサブフレームを高速にスケジューリングするとき、「アップリンク信号を保持するためのアップリンクサブフレームとダウンリンク信号を保持するためのダウンリンクサブフレームとの間の差」が変動する。従来の測位方法では、「アップリンク信号を保持するためのアップリンクサブフレームとダウンリンク信号を保持するためのダウンリンクサブフレームとの間の差」は既に測位サーバに知られており、かつ、測位サーバにおいて「アップリンク信号を保持するためのアップリンクサブフレームとダウンリンク信号を保持するためのダウンリンクサブフレームとの間の差」は固定で不変のままであると仮定されている。結果的に、測位サーバは、ＵＥと基地局との間の距離を正確に計算することができず、測位精度が低下する。
【発明の概要】
【０００３】
本願発明の実施形態は、測位情報伝送方法、関連デバイス、およびシステムを提供し、測位精度を向上させる。
【０００４】
本願発明の実施形態の第１の態様は、測位情報伝送方法を提供する。測位サーバにより端末機器を位置特定するために、基地局は、アップリンク信号を保持するためのアップリンクサブフレームを決定し、ダウンリンク信号を保持するためのダウンリンクサブフレームを決定し、第１の測定情報を決定し、第２の測定情報を決定し、第１の測定情報および第２の測定情報を測位サーバへ送信してよい。
【０００５】
第１の測定情報は、アップリンク信号の受信時間とダウンリンク信号の送信時間との間の差を含むか、または、第１の測定情報は、ダウンリンク信号の受信時間とアップリンク信号の送信時間との間の差を含む。第２の測定情報は、アップリンクサブフレームとダウンリンクサブフレームとの間の差を示すために用いられる。
【０００６】
任意選択的に、アップリンクサブフレームとダウンリンクサブフレームとの間の差は、アップリンクサブフレームのサブフレーム識別子とダウンリンクサブフレームのサブフレーム識別子との間の差を用いることによって取得される。
【０００７】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、およびアップリンクサブフレームとダウンリンクサブフレームとの間の設定（ＵＬ／ＤＬ  ｃｏｎｆｉｇｕｒａｔｉｏｎ）のうち少なくとも１つを含んでよい。
【０００８】
任意選択的に、測位サーバの第２の測定情報を送信する前に、基地局は、識別情報を測位サーバへ送信してよく、測位サーバにより識別情報に応じてフィードバックされた測定情報取得要求が受信されたとき、基地局は、第２の測定情報を測位サーバへ送信する。識別情報は、基地局が第２の測定情報を送信する能力を有することを示すために用いられる。
【０００９】
本願発明の実施形態の第２の態様は、測位情報伝送方法を提供する。測位サーバにより端末機器を位置特定するために、基地局は、第３の測定情報を決定して第３の測定情報を測位サーバへ送信してよい。第３の測定情報は、基地局と端末機器との間の距離を示すために用いられるか、または、第３の測定情報は、アップリンク信号の伝送時間および／またはダウンリンク信号の伝送時間を示すために用いられる。
【００１０】
任意選択的に、基地局が第３の測定情報を決定するといった具体的な方式は、基地局が、端末機器により送信された第３の測定情報を受信することであってよい。
【００１１】
任意選択的に、基地局が第３の測定情報を決定するといった具体的な方式は、基地局が、第１の測定情報を決定し、端末機器により送信された第２の測定情報を受信し、第１の測定情報および第２の測定情報に基づき、第３の測定情報を計算することであってよい。第１の測定情報は、アップリンク信号の受信時間とダウンリンク信号の送信時間との間の差を含むか、または、第１の測定情報は、ダウンリンク信号の受信時間とアップリンク信号の送信時間との間の差を含む。第２の測定情報は、アップリンク信号を保持するためのアップリンクサブフレームと、ダウンリンク信号を保持するためのダウンリンクサブフレームとの間の差を示すために用いられる。
【００１２】
任意選択的に、アップリンクサブフレームとダウンリンクサブフレームとの間の差は、アップリンクサブフレームのサブフレーム識別子とダウンリンクサブフレームのサブフレーム識別子との間の差を用いることによって取得される。
【００１３】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、および、アップリンクサブフレームとダウンリンクサブフレームとの間の設定（ＵＬ／ＤＬ  ｃｏｎｆｉｇｕｒａｔｉｏｎ）のうち少なくとも１つを含んでよい。
【００１４】
任意選択的に、測位サーバの第３の測定情報を送信する前に、基地局は、識別情報を測位サーバへ送信してよく、測位サーバにより識別情報に応じてフィードバックされる測定情報取得要求が受信されたとき、基地局は、第３の測定情報を測位サーバへ送信してよい。識別情報は、基地局が第３の測定情報を送信する能力を有することを示すために用いられる。
【００１５】
任意選択的に、第３の測定情報は、アップリンク信号の伝送時間およびダウンリンク信号の伝送時間の合計と、アップリンク信号の伝送時間と、ダウンリンク信号の伝送時間と、基地局と端末機器との間の往復距離または基地局と端末機器との間の片道距離とを含む。
【００１６】
本願発明の実施形態の第３の態様は、測位情報伝送方法を提供する。端末機器により測位サーバを位置特定するために、端末機器は、第１の測定情報を決定し、第１の測定情報を測位サーバへ送信し得る。第１の測定情報は、ダウンリンク信号の受信時間とアップリンク信号の送信時間との間の差を含む。
【００１７】
任意選択的に、測位サーバにより端末機器を位置特定するために、端末機器はさらに、アップリンク信号を保持するためのアップリンクサブフレームを決定し、ダウンリンク信号を保持するためのダウンリンクサブフレームを決定し、第２の測定情報を決定し、第１の測定情報および第２の測定情報に基づき、第３の測定情報を計算し、第３の測定情報を測位サーバへ送信してよい。第２の測定情報は、アップリンクサブフレームとダウンリンクサブフレームとの間の差を示すために用いられる。第３の測定情報は、基地局と端末機器との間の距離を示すために用いられるか、または第３の測定情報は、アップリンク信号の伝送時間および／またはダウンリンク信号の伝送時間を示すために用いられる。
【００１８】
任意選択的に、端末機器はさらに、アップリンク信号を保持するためのアップリンクサブフレームを決定し、ダウンリンク信号を保持するためのダウンリンクサブフレームを決定し、第２の測定情報を決定し、第２の測定情報を測位サーバへ送信してよい。第２の測定情報は、アップリンクサブフレームとダウンリンクサブフレームとの間の差を示すために用いられる。
【００１９】
任意選択的に、端末機器はさらに、アップリンク信号を保持するためのアップリンクサブフレームを決定し、ダウンリンク信号を保持するためのダウンリンクサブフレームを決定し、第２の測定情報を決定し、第２の測定情報を基地局へ送信してよい。第２の測定情報は、アップリンクサブフレームとダウンリンクサブフレームとの間の差を示すために用いられる。
【００２０】
任意選択的に、アップリンクサブフレームとダウンリンクサブフレームとの間の差は、アップリンクサブフレームのサブフレーム識別子と、ダウンリンクサブフレームのサブフレーム識別子との間の差を用いることによって取得される。
【００２１】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、アップリンクサブフレームとダウンリンクサブフレームとの間の設定（ＵＬ／ＤＬ  ｃｏｎｆｉｇｕｒａｔｉｏｎ）のうち少なくとも１つを含む。
【００２２】
任意選択的に、測位サーバの第２の測定情報を送信する前に、端末機器はさらに、測位サーバの識別情報を送信してよく、測位サーバにより識別情報に応じてフィードバックされた測定情報取得要求が受信されたとき、端末機器は、第２の測定情報を測位サーバへ送信する。識別情報は、端末機器が第２の測定情報を送信する能力を有することを示すために用いられる。
【００２３】
任意選択的に、第３の測定情報を測位サーバへ送信する前に、端末機器はさらに、識別情報を測位サーバへ送信してよく、測位サーバにより識別情報に応じてフィードバックされた測定情報取得要求が受信されたとき、端末機器は、第３の測定情報を測位サーバへ送信する。識別情報は、端末機器が第３の測定情報を送信する能力を有することを示すために用いられる。
【００２４】
任意選択的に、第３の測定情報は、アップリンク信号の伝送時間およびダウンリンク信号の伝送時間の合計と、アップリンク信号の伝送時間と、ダウンリンク信号の伝送時間と、基地局と端末機器との間の往復距離または基地局と端末機器との間の片道距離とを含む。
【００２５】
本願発明の実施形態の第４の態様は、測位情報伝送方法を提供する。測位サーバは、第１の測定情報および第２の測定情報を受信し、第１の測定情報および第２の測定情報に基づき、端末機器を位置特定してよい。第１の測定情報は、アップリンク信号の受信時間と、ダウンリンク信号の送信時間との間の差を含むか、または第１の測定情報は、ダウンリンク信号の受信時間とアップリンク信号の送信時間との間の差を含む。第２の測定情報は、アップリンク信号を保持するためのアップリンクサブフレームとダウンリンク信号を保持するためのダウンリンクサブフレームとの間の差を示すために用いられる。
【００２６】
任意選択的に、測位サーバはさらに、第３の測定情報を受信し、第３の測定情報に基づき、端末機器を位置特定してよい。第３の測定情報は、基地局と端末機器との間の距離を示すために用いられるか、または第３の測定情報は、アップリンク信号の伝送時間および／またはダウンリンク信号の伝送時間を示すために用いられる。
【００２７】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、およびアップリンクサブフレームとダウンリンクサブフレームとの間の設定（ＵＬ／ＤＬ  ｃｏｎｆｉｇｕｒａｔｉｏｎ）のうち少なくとも１つを含む。
【００２８】
任意選択的に、第３の測定情報は、アップリンク信号の伝送時間およびダウンリンク信号の伝送時間の合計と、アップリンク信号の伝送時間と、ダウンリンク信号の伝送時間と、基地局と端末機器との間の往復距離または基地局と端末機器との間の片道距離とを含む。
【００２９】
本願発明の実施形態の第５の態様は、コンピュータ記憶媒体を提供し、ここで、コンピュータ記憶媒体は、プログラムを記憶する。プログラムが実行されたとき、本願発明の実施形態の第１の態様において提供されている測位情報伝送方法の全てまたはいくつかの段階が含まれる。
【００３０】
本願発明の実施形態の第６の態様は、コンピュータ記憶媒体を提供し、ここで、コンピュータ記憶媒体は、プログラムを記憶する。プログラムが実行されたとき、本願発明の実施形態の第２の態様において提供されている測位情報伝送方法の全てのまたはいくつかの段階が含まれる。
【００３１】
本願発明の実施形態の第７の態様は、コンピュータ記憶媒体を提供し、ここで、コンピュータ記憶媒体は、プログラムを記憶する。プログラムが実行されたとき、本願発明の実施形態の第３の態様において提供されている測位情報伝送方法の全てのまたはいくつかの段階が含まれる。
【００３２】
本願発明の実施形態の第８の態様は、コンピュータ記憶媒体を提供し、ここで、コンピュータ記憶媒体は、プログラムを記憶する。プログラムが実行されたとき、本願発明の実施形態の第４の態様において提供されている測位情報伝送方法の全てのまたはいくつかの段階が含まれる。
【００３３】
本願発明の実施形態の第９の態様は、基地局を開示する。基地局は、本願発明の実施形態の第１の態様において開示されている測位情報伝送方法を実行するよう構成されるモジュールを含む。
【００３４】
本願発明の実施形態の第１０の態様は、基地局を開示する。基地局は、プロセッサと、メモリと、トランスミッタと、受信機とを備え、ここで、メモリは、一セットのプログラムコードを記憶し、プロセッサは、メモリに記憶されているプログラムコードを呼び出し、アップリンク信号を保持するためのアップリンクサブフレームを決定する動作と、ダウンリンク信号を保持するためのダウンリンクサブフレームを決定する動作と、第１の測定情報を決定する動作であって、第１の測定情報は、アップリンク信号の受信時間とダウンリンク信号の送信時間との間の差を含むか、または第１の測定情報は、ダウンリンク信号の受信時間とアップリンク信号の送信時間との間の差を含む、動作と、第２の測定情報を決定する動作であって、第２の測定情報は、アップリンクサブフレームとダウンリンクサブフレームとの間の差を示すために用いられる、動作と、測位サーバにより端末機器を位置特定するために第１の測定情報および第２の測定情報を測位サーバへ送信する動作とを実行する。
【００３５】
本願発明の実施形態の第１１の態様は、基地局を開示する。基地局は、本願発明の実施形態の第２の態様において開示されている測位情報伝送方法を実行するよう構成されるモジュールを備える。
【００３６】
本願発明の実施形態の第１２の態様は、基地局を開示する。基地局は、プロセッサと、メモリと、トランスミッタと、受信機とを備え、ここで、メモリは、一セットのプログラムコードを記憶し、プロセッサは、メモリに記憶されているプログラムコードを呼び出し、第３の測定情報を決定する動作であって、第３の測定情報は、基地局と端末機器との間の距離を示すために用いられるか、または第３の測定情報は、アップリンク信号の伝送時間および／またはダウンリンク信号の伝送時間を示すために用いられる、動作と、測位サーバにより端末機器を位置特定するために第３の測定情報を測位サーバへ送信する動作とを実行する。
【００３７】
本願発明の実施形態の第１３の態様は、端末機器を開示する。端末機器は、本願発明の実施形態の第３の態様において開示されている測位情報伝送方法を実行するよう構成されるモジュールを含む。
【００３８】
本願発明の実施形態の第１４の態様は、端末機器を開示する。端末機器は、プロセッサと、メモリと、トランスミッタと、受信機とを備え、ここで、メモリは、一セットのプログラムコードを記憶し、プロセッサは、メモリに記憶されているプログラムコードを呼び出して、第１の測定情報を決定する動作であって、第１の測定情報は、ダウンリンク信号の受信時間とアップリンク信号の送信時間との間の差を含む、動作と、測位サーバにより端末機器を位置特定するために、第１の測定情報を測位サーバへ送信する動作とを実行する。
【００３９】
本願発明の実施形態の第１５の態様は、測位サーバを開示する。測位サーバは、本願発明の実施形態の第４の態様において開示されている測位情報伝送方法を実行するよう構成されるモジュールを含む。
【００４０】
本願発明の実施形態の第１６の態様は、測位サーバを開示する。測位サーバは、プロセッサと、メモリと、トランスミッタと、受信機とを備え、ここで、メモリは、一セットのプログラムコードを記憶し、プロセッサは、メモリに記憶されているプログラムコードを呼び出して、第１の測定情報および第２の測定情報を受信する動作であって、第１の測定情報は、アップリンク信号の受信時間とダウンリンク信号の送信時間との間の差を含むか、または第１の測定情報は、ダウンリンク信号の受信時間とアップリンク信号の送信時間との間の差を含み、第２の測定情報は、アップリンク信号を保持するためのアップリンクサブフレームとダウンリンク信号を保持するためのダウンリンクサブフレームとの間の差を示すために用いられる、動作と、第１の測定情報および第２の測定情報に基づき、端末機器を位置特定する動作とを実行する。
【００４１】
本願発明の実施形態の第１７の態様は、測位情報伝送システムを開示する。測位情報伝送システムは、本願発明の実施形態の第１０の態様において開示されている基地局と、本願発明の実施形態の第１４の態様において開示されている端末機器と、本願発明の実施形態の第１６の態様において開示されている測位サーバとを備える。
【００４２】
本願発明の実施形態の第１８の態様は、測位情報伝送システムを開示する。測位情報伝送システムは、本願発明の実施形態の第１２の態様において開示されている基地局と、本願発明の実施形態の第１４の態様において開示されている端末機器と、本願発明の実施形態の第１６の態様において開示されている測位サーバとを備える。
【図面の簡単な説明】
【００４３】
本願発明の実施形態または先行技術における技術的解決手段をより明確に説明するために、以下では、実施形態を説明するために必要とされる添付図面を簡潔に説明する。明らかに、以下の説明における添付図面は単に、本願発明のいくつかの実施形態を示しており、当業者は、創造的努力なく、これらの添付図面から他の図面を導出し得る。
【００４４】
【図１】本発明の実施形態に係る測位情報伝送システムの概略的アーキテクチャ図である。
【００４５】
【図２】本発明の実施形態に係る測位情報伝送方法の概略的フローチャートである。
【００４６】
【図３】本発明の別の実施形態に係る測位情報伝送方法の概略的フローチャートである。
【００４７】
【図４】本発明のさらに別の実施形態に係る測位情報伝送方法の概略的フローチャートである。
【００４８】
【図５】本発明のまた別の実施形態に係る測位情報伝送方法の概略的フローチャートである。
【００４９】
【図６】本発明のさらにまた別の実施形態に係る測位情報伝送方法の概略的フローチャートである。
【００５０】
【図７】本発明のさらなる実施形態に係る測位情報伝送方法の概略的フローチャートである。
【００５１】
【図８】本発明のまたさらなる実施形態に係る測位情報伝送方法の概略的フローチャートである。
【００５２】
【図９】本発明のまたさらなる実施形態に係る測位情報伝送方法の概略的フローチャートである。
【００５３】
【図１０】本発明の実施形態に係る基地局の概略構造図である。
【００５４】
【図１１】本発明の別の実施形態に係る基地局の概略構造図である。
【００５５】
【図１２】本発明の実施形態に係る端末機器の概略構造図である。
【００５６】
【図１３】本発明の実施形態に係る測位サーバの概略構造図である。
【００５７】
【図１４】本発明の実施形態に係る測位情報伝送システムの概略構造図である。
【００５８】
【図１５】本発明のさらに別の実施形態に係る基地局の概略構造図である。
【００５９】
【図１６】本発明のまた別の実施形態に係る基地局の概略構造図である。
【００６０】
【図１７】本発明の別の実施形態に係る端末機器の概略構造図である。
【００６１】
【図１８】本発明の別の実施形態に係る測位サーバの概略構造図である。
【発明を実施するための形態】
【００６２】
以下では、本願発明の実施形態における添付図面を参照して、本願発明の実施形態におぇる技術的解決手段を明確に、かつ完全に説明する。明らかに、説明されている実施形態は単に、本願発明の実施形態のいくつかであり、全てではない。当業者により創造的努力なく、本願発明の実施形態に基づいて取得される他の全ての実施形態は、本発明の保護範囲に含まれるものとする。
【００６３】
従来の強化されたセルＩＤ測位（Ｅｎｈａｎｃｅｄ  Ｃｅｌｌ  ＩＤ  ｐｏｓｉｔｉｏｎｉｎｇ、Ｅ−ＣＩＤ）技術において、ＵＥと基地局との間の距離は、ＵＥ  Ｒｘ−Ｔｘ測定（ＵＥがアップリンク信号を伝送する伝送時間と、ＵＥがダウンリンク信号を受信する受信時間との間の差）、またはｅＮＢ  Ｒｘ−Ｔｘ測定（基地局がダウンリンク信号を伝送する伝送時間と、基地局がアップリンク信号を受信する受信時間との間の差）を用いることによって決定されてよい。具体的には、ＵＥと基地局との間の距離は、（ｅＮＢ  Ｒｘ−Ｔｘ時間差−（基地局がアップリンク信号を受信するアップリンクサブフレーム−基地局がダウンリンク信号を伝送するダウンリンクサブフレーム））／（２×光速度）に等しい。しかしながら、セルラベースの狭帯域のモノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）モード、ＨＤ−ＦＤＤモード、時分割複信（Ｔｉｍｅ  Ｄｉｖｉｓｉｏｎ  Ｄｕｐｌｅｘｉｎｇ、ＴＤＤ）モード、または同様なものに対して、基地局は、アップリンク信号が位置するサブフレームまたはダウンリンク信号が位置するサブフレームを高速にスケジューリングし得る。その結果、「基地局がアップリンク信号を受信するアップリンクサブフレームと、基地局がダウンリンク信号を伝送するダウンリンクサブフレームとの間の差」が変動する。従来の強化されたセルＩＤ測位技術において、「基地局がアップリンク信号を受信するアップリンクサブフレームと基地局がダウンリンク信号を伝送するダウンリンクサブフレームとの間の差」は既に測位サーバに知られており、かつ、「基地局がアップリンク信号を受信するアップリンクサブフレームと基地局がダウンリンク信号を伝送するダウンリンクサブフレームとの間の差」は固定で不変なままであると仮定されている。結果的に、測位サーバは、ＵＥと基地局との間の距離を正確に計算できず、測位精度が低下する。本願発明における「差」は、例えば、ＡとＢとの間の差であり、ＡからＢを差し引いた後に得られた差、またはＢからＡを差し引いた後に得られた差を含んでおり、区別しない。本願発明における「サブフレーム」は、無線フレーム、スーパーフレーム、ハイパーフレーム、サブフレーム、フレームなどの、種々の通信システムにおけるフレームの概念を含む。
【００６４】
本願発明の実施形態は、測位情報伝送方法を提供する。基地局は、アップリンク信号を保持するためのアップリンクサブフレームおよびダウンリンク信号を保持するためのダウンリンクサブフレームを決定し、第１の測定情報および第２の測定情報を決定してよく、基地局は、第１の測定情報および第２の測定情報を測位サーバへ送信してよく、測位サーバは、第１の測定情報および第２の測定情報に基づき、基地局と端末機器との間の距離を計算してよく、測位サーバはさらに、計算された、基地局と端末機器との間の距離に基づき、端末機器を位置特定してよく、それにより、測位精度が向上する。
【００６５】
前述の原理に基づき、本願発明の実施形態は、測位情報伝送システムの概略的アーキテクチャ図を提供する。図１を参照すると、測位情報伝送システムのアーキテクチャは少なくとも、基地局１０１と、端末機器１０２と、測位サーバ１０３とを備えてよい。例えば、測位サーバ１０３と基地局１０１との間の通信インタフェースは、３ＧＰＰ  ３６．４５５  ＬＰＰａであってよく、測位サーバ１０３と端末機器１０２との間の通信インタフェースは、３ＧＰＰ  ３６．３５５  ＬＰＰであってよい。
【００６６】
基地局１０１と端末機器１０２との間のデータフローは、以下の通りであってよい。端末機器１０２が、アップリンク信号を基地局１０１へ送信し、基地局１０１が、ダウンリンク信号を端末機器１０２へ送信する。端末機器１０２（または基地局１０１）は、端末機器１０２がアップリンク信号を送信する送信時間、および端末機器１０２がダウンリンク信号を受信する受信時間に基づき、第１の測定情報を取得してよく、ここで、第１の測定情報は、ダウンリンク信号の受信時間とアップリンク信号の送信時間との間の差を含む。端末機器１０２（または基地局１０１）はさらに、端末機器１０２がアップリンク信号を送信するアップリンクサブフレーム、および端末機器１０２がダウンリンク信号を受信するダウンリンクサブフレームに基づき、第２の測定情報を取得してよく、ここで、第２の測定情報は、ダウンリンクサブフレームとアップリンクサブフレームとの間の差を示すために用いられる。端末機器１０２（または基地局１０１）は、第１の測定情報および第２の測定情報を測位サーバ１０３へ送信する。測位サーバ１０３は、第１の測定情報および第２の測定情報に基づき、基地局１０１と端末機器１０２との間の距離を取得してよく、測位サーバ１０３はさらに、基地局１０１と端末機器１０２との間の距離に基づき、端末機器１０２を位置特定してよい。さらに、任意選択的に、第１の測定情報および第２の測定情報を取得した後に、端末機器１０２（または基地局１０１）は、第１の測定情報および第２の測定情報に基づき、第３の測定情報を取得してよく、ここで、第３の測定情報は、基地局１０１と端末機器１０２との間の距離、または基地局１０１と端末機器１０２との間の往復距離を示すために用いられる。端末機器１０２（または基地局１０１）は、第３の測定情報を測位サーバ１０３へ送信してよく、測位サーバ１０３は、第３の測定情報に基づき、端末機器１０２を位置特定してよい。さらに、任意選択的に、第３の測定情報は、アップリンク信号の伝送時間および／またはダウンリンク信号の伝送時間、または往復伝送時間を示すために用いられてよい。端末機器１０２（または基地局１０１）が第３の測定情報を測位サーバ１０３へ送信した後に、測位サーバ１０３は、第３の測定情報に基づき、基地局１０１と端末機器１０２との間の距離を取得してよく、測位サーバ１０３はさらに、基地局１０１と端末機器１０２との間の距離に基づき、端末機器１０２を位置特定してよい。
【００６７】
任意選択的に、基地局１０１と端末機器１０２との間のデータフローは以下の通りであってよい。基地局１０１が、ダウンリンク信号を端末機器１０２へ送信し、端末機器１０２が、アップリンク信号を基地局１０１へ送信する。基地局１０１は、基地局１０１がダウンリンク信号を送信する送信時間、および基地局１０１がアップリンク信号を受信する受信時間に基づき、第１の測定情報を取得してよく、ここで、第１の測定情報は、アップリンク信号の受信時間とダウンリンク信号の送信時間との間の差を含む。基地局１０１はさらに、基地局１０１がダウンリンク信号を送信するダウンリンクサブフレーム、および基地局１０１がアップリンク信号を受信するアップリンクサブフレームに基づき、第２の測定情報を取得してよく、ここで、第２の測定情報は、アップリンクサブフレームとダウンリンクサブフレームとの間の差を示すために用いられる。基地局１０１は、第１の測定情報および第２の測定情報を測位サーバ１０３へ送信する。測位サーバ１０３は、第１の測定情報および第２の測定情報に基づき、基地局１０１と端末機器１０２との間の距離、または基地局１０１と端末機器１０２との間の往復距離を取得してよい。測位サーバ１０３はさらに、基地局１０１と端末機器１０２との間の距離に基づき、端末機器１０２を位置特定してよい。さらに、任意選択的に、第１の測定情報および第２の測定情報を取得した後に、基地局１０１は、第１の測定情報および第２の測定情報に基づき、第３の測定情報を取得してよく、ここで、第３の測定情報は、基地局１０１と端末機器１０２との間の距離、または基地局１０１と端末機器１０２との間の往復距離を示すために用いられる。基地局１０１は、第３の測定情報を測位サーバ１０３へ送信してよく、測位サーバ１０３は、第３の測定情報に基づき、端末機器１０２を位置特定してよい。さらに、任意選択的に、第３の測定情報は、アップリンク信号の伝送時間および／またはダウンリンク信号の伝送時間、または往復伝送時間を示すために用いられてよい。基地局１０１が第３の測定情報を測位サーバ１０３へ送信した後に、測位サーバ１０３は、第３の測定情報に基づき、基地局１０１と端末機器１０２との間の距離を取得してよく、測位サーバ１０３はさらに、基地局１０１と端末機器１０２との間の距離に基づき、端末機器１０２を位置特定してよい。
【００６８】
本発明の具体的な実施形態を説明する前に、基地局、端末機器、および測位サーバなどの、本願発明において用いられ得る概念をまず簡潔に説明する。基地局は、マクロ基地局、ＬＭＵ、フェムトセル、ピコセル基地局、同じマクロ基地局に属するピコ遠隔無線ユニット（ｐｉｃｏ  Ｒｅｍｏｔｅ  Ｒａｄｉｏ  Ｕｎｉｔ、ｐＲＲＵ）、遠隔無線ユニット（Ｒｅｍｏｔｅ  Ｒａｄｉｏ  Ｈｅａｄ、ＲＲＨ）、および同様のもの、または、異なるマクロ基地局に属するｐＲＲＵ、ＲＲＨ、および同様のものであってよい。ＬＭＵは、論理的エンティティであり、基地局とデバイスを共有してよく、または、独立したネットワーク要素デバイスであってよく、測位に参加して、ＵＥにより送信されたサウンディング参照信号（Ｓｏｕｎｄｉｎｇ  Ｒｅｆｅｒｅｎｃｅ  Ｓｉｇｎａｌ、ＳＲＳ）を受信するために、アップリンク到達時間差（Ｕｐｌｉｎｋ  Ｔｉｍｅ  Ｄｉｆｆｅｒｅｎｃｅ  ｏｆ  Ａｒｒｉｖａｌ、ＵＴＤＯＡ）技術において用いられる。端末機器は、ＵＥ、移動局、アクセス端末、加入者ユニット、加入者局、移動局、遠隔局、遠隔端末、モバイル機器、端末、無線通信デバイス、ユーザエージェント、ユーザ装置、または同様のものとも称されてよく、具体的には、ＷＬＡＮ内のステーション（Ｓｔａｔｉｏｎ、ＳＴ）、セルラ電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、ハンドヘルドデバイス、または、無線通信機能を有するコンピューティングデバイス、無線モデムに接続される別の処理デバイス、車載デバイス、ウェアラブルデバイス、将来の５Ｇネットワーク上の移動局、将来の進化型ＰＬＭＮネットワーク上の端末機器、および同様のもののうちの任意の１つであってよい。測位サーバ（Ｅｎｈａｎｃｅｄ  Ｓｅｒｖｉｎｇ  Ｍｏｂｉｌｅ  Ｌｏｃａｔｉｏｎ  Ｃｅｎｔｅｒ、Ｅ−ＳＭＬＣ）は、通信システムにおいて測位の役割を担う全ての論理的エンティティの汎用的名称である。
【００６９】
本発明の具体的な実施形態を説明する前に、アップリンク信号、ダウンリンク信号、アップリンクサブフレーム、またはダウンリンクサブフレームなどの、本願発明において用いられ得る概念をまず簡潔に説明する。
【００７０】
ＵＥと基地局との間で伝送される信号は、アップリンク−ダウンリンク信号およびダウンリンク信号に分類されてよい。アップリンク信号は、ＵＥにより基地局へ送信された信号でありダウンリンク信号は、基地局によりＵＥへ送信された信号である。基地局が、ＵＥにより送信されたアップリンク信号を受信するするサブフレームは、アップリンク信号を保持するためのアップリンクサブフレームと称されてよい。具体的には、基地局は、例えば、システムフレーム番号（Ｓｙｓｔｅｍ  Ｆｒａｍｅ  Ｎｕｍｂｅｒ、ＳＦＮ）情報およびサブフレーム番号情報などの、ＵＥにより送信されたアップリンク信号が位置するサブフレームのサブフレーム番号を受信してよい。基地局がダウンリンク信号を送信するサブフレームは、ダウンリンク信号を保持するためのダウンリンクサブフレームと称されてよい。具体的には、基地局は、例えば、ＳＦＮ情報およびサブフレーム番号情報などの、ＵＥにより送信されたダウンリンク信号が位置するサブフレームのサブフレーム番号を取得してよい。ＵＥが、基地局により送信されたダウンリンク信号を受信するサブフレームは、ダウンリンク信号を保持するためのダウンリンクサブフレームと称されてよい。具体的には、ＵＥは、例えば、ＳＦＮ情報およびサブフレーム番号情報などの、基地局により送信されたダウンリンク信号が位置するサブフレームのサブフレーム番号を受信してよい。ＵＥがアップリンク信号を送信するサブフレームは、アップリンク信号を保持するためのアップリンクサブフレームと称されてよい。具体的には、ＵＥは、例えば、ＳＦＮ情報およびサブフレーム番号情報などの、基地局へ送信されたアップリンク信号が位置するサブフレームのサブフレーム番号を取得してよい。概して、ＵＥがダウンリンク信号を受信するサブフレームは、基地局がダウンリンク信号を送信するサブフレームと同じであり、ＵＥがアップリンク信号を送信するサブフレームは、基地局がアップリンク信号を受信するサブフレームと同じである。
【００７１】
１つのシステム無線フレームは、いくつかのサブフレームを含んでよく、キャリアのサブフレーム長は、１５ｋＨｚ×２ｎ（ここで、２ｎとは、２のｎ乗である）であってよく、システム無線フレームに対応するサブフレーム長は、１／（２ｎ）ｍｓであり、ここで、ｎは、整数である。言い換えれば、０．５ｍｓ、０．２５ｍｓ、および０．１２５ｍｓなどの複数の伝送時間単位がサポートされる。異なるサブフレームが、サブフレーム番号などの異なるサブフレーム識別子に対応する。種々の通信システムにおいて、フレームのネーミング方式および構成要素が異なるので、本願発明における「サブフレーム」は、種々の通信システムにおける無線フレーム、スーパーフレーム、ハイパーフレーム、サブフレーム、およびフレームなどのフレームの概念を含む。
【００７２】
基地局とＵＥとの間の距離は、以下の式を用いることによって計算されてよい。ＵＥと基地局との間の距離＝（ｅＮＢ  Ｒｘ−Ｔｘ時間差−（基地局がアップリンク信号を受信するサブフレーム−基地局がダウンリンク信号を伝送するサブフレーム））／（２×光速度）
【００７３】
ｅＮＢ  Ｒｘ−Ｔｘ測定は、基地局がダウンリンク信号を送信する送信時間と、基地局がアップリンク信号を受信する受信時間との間の差であり、ｅＮＢ  Ｒｘ−Ｔｘ時間差−（基地局がアップリンク信号を受信するサブフレーム−基地局がダウンリンク信号を伝送するサブフレーム）は、アップリンク信号の伝送時間、およびダウンリンク信号の伝送時間の合計であり、（ｅＮＢ  Ｒｘ−Ｔｘ時間差−（基地局がアップリンク信号を受信するサブフレーム−基地局がダウンリンク信号を伝送するサブフレーム））／２は、アップリンク信号の伝送時間またはダウンリンク信号の伝送時間であり、（ｅＮＢ  Ｒｘ−Ｔｘ時間差−（基地局がアップリンク信号を受信するサブフレーム−基地局がダウンリンク信号を伝送するサブフレーム））／（２×光速度）は、基地局とＵＥとの間の片道距離であり、（ｅＮＢ  Ｒｘ−Ｔｘ時間差−（基地局がアップリンク信号を受信するサブフレーム−基地局がダウンリンク信号を伝送するサブフレーム））／光速度は、基地局とＵＥとの間の往復距離である。
【００７４】
任意選択的に、基地局とＵＥとの間の距離は、以下の式を用いることによって計算されてよい。ＵＥと基地局との間の距離＝（ＵＥ  Ｒｘ−Ｔｘ時間差−（ＵＥがダウンリンク信号を受信するサブフレーム−ＵＥがアップリンク信号を送信するサブフレーム））／（２×光速度）。
【００７５】
ＵＥ  Ｒｘ−Ｔｘ測定は、ＵＥがダウンリンク信号を受信する受信時間と、ＵＥがアップリンク信号を送信する送信時間との間の差であり、ＵＥ  Ｒｘ−Ｔｘ時間差−（ＵＥがダウンリンク信号を受信するサブフレーム−ＵＥがアップリンク信号を送信するサブフレーム）は、アップリンク信号の伝送時間とダウンリンク信号の伝送時間との合計であり、（ＵＥ  Ｒｘ−Ｔｘ時間差−（ＵＥがダウンリンク信号を受信するサブフレーム−ＵＥがアップリンク信号を送信するサブフレーム））／２は、アップリンク信号の伝送時間またはダウンリンク信号の伝送時間であり、（ＵＥ  Ｒｘ−Ｔｘ時間差−（ＵＥがダウンリンク信号を受信するサブフレーム−ＵＥがアップリンク信号を送信するサブフレーム））／（２×光速度）は、基地局とＵＥとの間の片道距離であり、（ＵＥ  Ｒｘ−Ｔｘ時間差−（ＵＥがダウンリンク信号を受信するサブフレーム−ＵＥがアップリンク信号を送信するサブフレーム））／光速度は、基地局とＵＥとの間の往復距離である。
【００７６】
図１において示されている測位情報伝送システムの概略的アーキテクチャ図に基づき、図２は、本発明の実施形態に係る測位情報伝送方法の概略的フローチャートである。図２に示されているように、本願発明の本実施形態における測位情報伝送方法は、以下の段階を含んでよい。
【００７７】
Ｓ２０１．基地局は、ダウンリンク信号を端末機器へ送信する。
【００７８】
具体的な実施方式において、基地局は、予め設定された持続時間の間隔でダウンリンク信号を端末機器へ送信し、端末機器によりフィードバックされたアップリンク信号を受信してよい。第１の測定情報および第２の測定情報を決定した後に、基地局は、測位サーバにより端末機器を位置特定するために、第１の測定情報および第２の測定情報を測位サーバへ送信してよい。
【００７９】
任意選択的に、端末機器を位置特定する要求を受信した後に、測位サーバは、ｅＮＢ  Ｒｘ−Ｔｘ時間差を測定するよう基地局を設定し得る。この場合、基地局は、ダウンリンク信号を端末機器へ送信してよい。
【００８０】
任意選択的に、測位サーバは、基地局が第２の測定情報を報告する能力を有するか否かについて問い合わせてよい。基地局が第２の測定情報を報告する能力を有することを基地局が測位サーバに報告したとき、測位サーバは、第２の測定情報取得要求を基地局へ送信してよく、基地局は、第２の測定情報取得要求に応じて、ダウンリンク信号を端末機器へ送信してよい。任意選択的に、基地局は代替的に、第２の測定情報取得要求に応じて、直近で取得された第２の測定情報を測位サーバへ送信してよい。
【００８１】
Ｓ２０２．端末機器は、アップリンク信号を生成し、アップリンク信号を基地局へ送信する。
【００８２】
ダウンリンク信号を受信した後に、端末機器は、ダウンリンク信号を処理し、アップリンク信号を生成し、次に、アップリンク信号を基地局へ送信することができる。端末機器がダウンリンク信号を受信する時間から、端末機器がアップリンク信号を送信する時間までの期間は、端末機器がダウンリンク信号を処理する持続時間であってよく、ここで、処理持続時間は、端末機器がアップリンク信号を送信するサブフレームと端末機器がダウンリンク信号を受信するサブフレームとの間の差を用いることによって取得されてよい。例えば、端末機器がダウンリンク信号を受信するサブフレームのサブフレーム番号が２であり、端末機器がアップリンク信号を送信するサブフレームのサブフレーム番号が４であり、かつ、第１のサブフレームのサブフレーム長が０．１２５ｍｓであるとき、端末機器は、端末機器がダウンリンク信号を処理する持続時間が（４−２）×０．１２５＝０．２５ｍｓであると決定してよい。
【００８３】
Ｓ２０３．基地局は、第１の測定情報を決定し、ここで、第１の測定情報は、アップリンク信号の受信時間とダウンリンク信号の送信時間との間の差を含む。
【００８４】
基地局は、第１の測定情報を決定してよく、ここで、第１の測定情報は、アップリンク信号の受信時間とダウンリンク信号の送信時間との間の差を含んでよい。例えば、基地局がアップリンク信号を受信する受信時間が１０：３０であり、かつ、基地局がダウンリンク信号を送信する送信時間が１０：１０である場合、基地局は、第１の測定情報が２０ｍｉｎであると決定してよい。
【００８５】
Ｓ２０４．基地局は、基地局がアップリンク信号を受信するサブフレーム、および基地局がダウンリンク信号を送信するサブフレームを決定する。
【００８６】
ダウンリンク信号を端末機器へ送信した後に、基地局は、基地局がダウンリンク信号を送信するサブフレーム、例えば、基地局がダウンリンク信号を送信するサブフレームのサブフレーム番号を決定してよい。加えて、端末機器により送信されたアップリンク信号を受信した後に、基地局は、基地局がアップリンク信号を受信するサブフレーム、例えば、基地局がアップリンク信号を受信するサブフレームのサブフレーム番号を決定してよい。
【００８７】
本願発明の本実施形態は、基地局がアップリンク信号を受信するサブフレームを基地局が決定し、基地局がダウンリンク信号を送信するサブフレームを基地局が決定するために基づく時間的順序を限定しないことに留意される必要がある。例えば、基地局は、基地局がアップリンク信号を受信するサブフレームを決定した後に、基地局がダウンリンク信号を送信するサブフレームを決定してよく、別の例において、基地局は、基地局がダウンリンク信号を送信するサブフレームを決定した後に、基地局がアップリンク信号を受信するサブフレームを決定してよく、別の例において、基地局は、基地局がアップリンク信号を受信するサブフレーム、および基地局がダウンリンク信号を送信するサブフレームを同時に決定してよく、これは、本願発明の本実施形態によって限定されるものではない。
【００８８】
Ｓ２０５．基地局は、第２の測定情報を決定し、ここで、第２の測定情報は、基地局がアップリンク信号を受信するサブフレームと、基地局がダウンリンク信号を送信するサブフレームとの間の差を示すために用いられる。
【００８９】
基地局がアップリンク信号を受信するサブフレーム、および基地局がダウンリンク信号を送信するサブフレームを決定した後に、基地局は、第２の測定情報を決定してよく、ここで、第２の測定情報は、基地局がアップリンク信号を受信するサブフレームと、基地局がダウンリンク信号を送信するサブフレームとの間の差を示すために用いられる。例えば、第２の測定情報は、基地局がアップリンク信号を受信するサブフレームのサブフレーム番号、および基地局がダウンリンク信号を送信するサブフレームのサブフレーム番号を含んでよい。別の例において、第２の測定情報は、基地局がアップリンク信号を受信するサブフレームと、基地局がダウンリンク信号を送信するサブフレームとの間の差を含んでよい。例えば、基地局がダウンリンク信号を送信するサブフレームのサブフレーム番号が２であり、基地局がアップリンク信号を受信するサブフレームのサブフレーム番号が４であり、かつ、第１のサブフレームのサブフレーム長が０．１２５ｍｓであるとき、基地局は、基地局がアップリンク信号を受信するサブフレームと、基地局がダウンリンク信号を送信するサブフレームとの間の差が（４−２）×０．１２５＝０．２５ｍｓと決定してよい。言い換えれば、端末機器がダウンリンク信号を処理する持続時間は、０．２５ｍｓである。段階Ｓ２０３および段階Ｓ２０５の実行順序は、本願発明の本実施形態において限定されるものではないことに留意される必要がある。例えば、基地局は、段階Ｓ２０５を実行した後に、段階Ｓ２０３を実行してよい。
【００９０】
任意選択的に、第２の測定情報は、アップリンクサブフレームおよび／またはダウンリンクサブフレーム、アップリンクサブフレームの繰り返し保持回数、ダウンリンクサブフレームの繰り返し保持回数、アップリンクサブフレームとダウンリンクサブフレームとの間の差、アップリンクサブフレームとダウンリンクサブフレームとの間の設定（ＵＬ／ＤＬ  ｃｏｎｆｉｇｕｒａｔｉｏｎ）、ビットマップなどの、アップリンクサブフレームの設定情報および／またはダウンリンクサブフレームの設定情報、ビットマップなどの、アップリンクリソース要素（ｒｅｓｏｕｒｃｅ  ｅｌｅｍｅｎｔ）の設定情報および／またはダウンリンクリソース要素の設定情報、および、ビットマップなどの、アップリンクリソースブロック（ｒｅｓｏｕｒｃｅ  ｂｌｏｃｋ）の設定情報および／またはダウンリンクリソースブロックの設定情報のうち少なくとも１つを含んでよい。
【００９１】
Ｓ２０６．基地局は、第１の測定情報および第２の測定情報を測位サーバへ送信する。
【００９２】
第１の測定情報および第２の測定情報を決定した後に、基地局は、基地局と測位サーバとの間の通信インタフェースを用いることによって、第１の測定情報および第２の測定情報を測位サーバへ送信してよい。
【００９３】
Ｓ２０７．測位サーバは、第１の測定情報および第２の測定情報に基づき、端末機器を位置特定する。
【００９４】
基地局と測位サーバとの間の通信インタフェースを用いることによって第１の測定情報および第２の測定情報を受信した後に、測位サーバは、（ｅＮＢ  Ｒｘ−Ｔｘ時間差−（基地局がアップリンク信号を受信するサブフレーム−基地局がダウンリンク信号を伝送するサブフレーム））／（２×光速度）という式を用いることによって、端末機器と基地局との間の距離を取得し、次に、端末機器と基地局との間の距離に基づき、端末機器を位置特定してよい。
【００９５】
図２に示されている測位情報伝送方法において、基地局は、アップリンク信号の受信時間と、ダウンリンク信号の送信時間との間の差を含む第１の測定情報を決定し、アップリンクサブフレームとダウンリンクサブフレームとの間の差を示すために用いられる第２の測定情報を決定し、基地局は、第１の測定情報および第２の測定情報を測位サーバへ送信し、これにより、測位サーバは、第１の測定情報および第２の測定情報に基づき、端末機器を位置特定し、それにより、測位精度が向上する。
【００９６】
図１に示されている測位情報伝送システムの概略的アーキテクチャ図に基づき、図３は、本発明の別の実施形態に係る測位情報伝送方法の概略的フローチャートである。図３に示されているように、本願発明の本実施形態における測位情報伝送方法は、以下の段階を備えてよい。
【００９７】
Ｓ３０１．基地局は、ダウンリンク信号を端末機器へ送信する。
【００９８】
詳細については、段階Ｓ２０１に関する前述の説明を参照されたい。詳細は、本願発明の本実施形態において再び説明されない。
【００９９】
Ｓ３０２．端末機器は、アップリンク信号を生成し、アップリンク信号を基地局へ送信する。
【０１００】
詳細については、段階Ｓ２０２に関する前述の説明を参照されたい。詳細は、本願発明の本実施形態において再び説明されない。
【０１０１】
Ｓ３０３．基地局は、第１の測定情報を決定し、ここで、第１の測定情報は、アップリンク信号の受信時間とダウンリンク信号の送信時間との間の差を含む。
【０１０２】
詳細については、段階Ｓ２０３に関する前述の説明を参照されたい。詳細は、本願発明の本実施形態において再び説明されない。
【０１０３】
Ｓ３０４．端末機器は、端末機器がアップリンク信号を送信するサブフレーム、および端末機器がダウンリンク信号を受信するサブフレームを決定する。
【０１０４】
アップリンク信号を基地局へ送信した後に、端末機器は、端末機器がアップリンク信号を送信するサブフレーム、例えば、端末機器がアップリンク信号を送信するサブフレームの番号を決定してよい。加えて、基地局により送信されたダウンリンク信号を受信した後に、端末機器は、端末機器がダウンリンク信号を受信するサブフレーム、例えば、端末機器がダウンリンク信号を受信するサブフレームの番号を決定してよい。
【０１０５】
Ｓ３０５．端末機器は、第２の測定情報を決定し、ここで、第２の測定情報は、端末機器がアップリンク信号を送信するサブフレームと、端末機器がダウンリンク信号を受信するサブフレームとの間の差を示すために用いられる。
【０１０６】
端末機器がアップリンク信号を送信するサブフレーム、および端末機器がダウンリンク信号を受信するサブフレームを決定した後に、端末機器は、第２の測定情報を決定してよく、ここで、第２の測定情報は、端末機器がアップリンク信号を送信するサブフレームと、端末機器がダウンリンク信号を受信するサブフレームとの間の差を示すために用いられる。例えば、第２の測定情報は、端末機器がアップリンク信号を送信するサブフレームのサブフレーム番号、および端末機器がダウンリンク信号を受信するサブフレームのサブフレーム番号を含んでよい。別の例において、第２の測定情報は、端末機器がアップリンク信号を送信するサブフレームと、端末機器がダウンリンク信号を受信するサブフレームとの間の差を含んでよい。例えば、端末機器がダウンリンク信号を受信するサブフレームのサブフレーム番号が２であり、端末機器がアップリンク信号を送信するサブフレームのサブフレーム番号が４であり、かつ、第１のサブフレームのサブフレーム長が０．１２５ｍｓであるとき、端末機器は、端末機器がアップリンク信号を送信するサブフレームと、端末機器がダウンリンク信号を受信するサブフレームとの間の差が（４−２）×０．１２５＝０．２５ｍｓと決定してよい。言い換えれば、端末機器がダウンリンク信号を処理する持続時間が０．２５ｍｓである。
【０１０７】
Ｓ３０６．端末機器は、第２の測定情報を基地局へ送信する。
【０１０８】
任意選択的に、第２の測定情報を決定した後に、端末機器は、端末機器と測位サーバとの間の通信インタフェースを用いることによって、第２の測定情報を測位サーバへ送信してよい。加えて、第１の測定情報を決定した後に、基地局は、基地局と測位サーバとの間の通信インタフェースを用いることによって、第１の測定情報を測位サーバへ送信し得て、これにより、測位サーバは、第１の測定情報および第２の測定情報に基づき、端末機器を位置特定する。
【０１０９】
Ｓ３０７．基地局は、第１の測定情報および第２の測定情報を測位サーバへ送信する。
【０１１０】
Ｓ３０８．測位サーバは、第１の測定情報および第２の測定情報に基づき、端末機器を位置特定する。
【０１１１】
図３に示されている測位情報伝送方法において、基地局は、第１の測定情報を決定し、ここで、第１の測定情報は、アップリンク信号の受信時間とダウンリンク信号の送信時間との間の差を含み、端末機器は、第２の測定情報を決定し、ここで、第２の測定情報は、端末機器がアップリンク信号を送信するサブフレームと、端末機器がダウンリンク信号を受信するサブフレームとの間の差を示すために用いられ、端末機器は、第２の測定情報を基地局へ送信し、基地局は、測位サーバにより端末機器を位置付けするために、第１の測定情報および第２の測定情報を測位サーバへ送信する。
【０１１２】
図１に示されている測位情報伝送システムの概略的アーキテクチャ図に基づき、図４は、本発明のさらに別の実施形態に係る測位情報伝送方法の概略的フローチャートである。図４に示されているように、本願発明の本実施形態における測位情報伝送方法は、以下の段階を含んでよい。
【０１１３】
Ｓ４０１．端末機器は、アップリンク信号を基地局へ送信する。
【０１１４】
具体的な実施方式において、端末機器は、予め設定された持続時間の間隔でアップリンク信号を基地局へ送信し、基地局により送信されたダウンリンク信号を受信してよい。第１の測定情報および第２の測定情報を決定した後に、基地局は、測位サーバにより端末機器を位置特定するために、第１の測定情報および第２の測定情報を測位サーバへ送信してよい。
【０１１５】
任意選択的に、端末機器を位置特定する要求を受信した後に、測位サーバは、ｅＮＢ  Ｒｘ−Ｔｘ時間差を測定するよう基地局を設定し得る。この場合、基地局は、信号要求を端末機器へ送信してよく、端末機器は、信号要求に基づき、アップリンク信号を基地局へ送信する。
【０１１６】
任意選択的に、測位サーバは、基地局が第２の測定情報を報告する能力を有するか否かについて問い合わせてよい。基地局が第２の測定情報を報告する能力を有することを、基地局が測位サーバに報告したとき、測位サーバは、第２の測定情報取得要求を基地局へ送信してよく、基地局は、第２の測定情報取得要求に応じて、信号取得要求を端末機器へ送信してよく、これにより、端末機器は、信号要求に基づき、アップリンク信号を基地局へ送信する。任意選択的に、基地局は代替的に、第２の測定情報取得要求に応じて、直近で取得された第２の測定情報を測位サーバへ送信してよい。
【０１１７】
Ｓ４０２．基地局は、ダウンリンク信号を生成し、ダウンリンク信号を端末機器へ送信する。
【０１１８】
アップリンク信号を受信した後に、基地局は、アップリンク信号を処理し、ダウンリンク信号を生成し、ダウンリンク信号を端末機器へ送信してよい。基地局がアップリンク信号を受信する時間から、基地局がダウンリンク信号を送信する時間までの期間は、基地局がアップリンク信号を処理する持続時間であってよく、ここで、処理持続時間は、基地局がダウンリンク信号を送信するサブフレームと、基地局がアップリンク信号を受信するサブフレームとの間の差を用いることによって取得されてよい。例えば、基地局がアップリンク信号を受信するサブフレームのサブフレーム番号が２であり、基地局がダウンリンク信号を送信するサブフレームのサブフレーム番号が４であり、かつ、第１のサブフレームのサブフレーム長が０．１２５ｍｓであるとき、基地局は、基地局がアップリンク信号を処理する持続時間が（４−２）×０．１２５＝０．２５ｍｓであると決定してよい。
【０１１９】
Ｓ４０３．基地局は、第１の測定情報を決定し、ここで、第１の測定情報は、ダウンリンク信号の送信時間とアップリンク信号の受信時間との間の差を含む。
【０１２０】
基地局は、第１の測定情報を決定してよく、ここで、第１の測定情報は、ダウンリンク信号の送信時間とアップリンク信号の受信時間との間の差を含んでよい。例えば、基地局がダウンリンク信号を送信する送信時間が１０：３０であり、基地局がアップリンク信号を受信する受信時間が１０：１０である場合、基地局は、第１の測定情報が２０ｍｉｎであると決定してよい。
【０１２１】
Ｓ４０４．基地局は、基地局がダウンリンク信号を送信するサブフレーム、および基地局がアップリンク信号を受信するサブフレームを決定する。
【０１２２】
端末機器により送信されたアップリンク信号を受信した後に、基地局は、基地局がアップリンク信号を受信するサブフレーム、例えば、基地局がアップリンク信号を受信するサブフレームのサブフレーム番号を決定してよい。加えて、ダウンリンク信号を端末機器へ送信した後に、基地局は、基地局がダウンリンク信号を送信するサブフレーム、例えば、基地局がダウンリンク信号を送信するサブフレームのサブフレーム番号を決定してよい。
【０１２３】
Ｓ４０５．基地局は、第２の測定情報を決定し、ここで、第２の測定情報は、基地局がダウンリンク信号を送信するサブフレームと、基地局がアップリンク信号を受信するサブフレームとの間の差を示すために用いられる。
【０１２４】
基地局がアップリンク信号を受信するサブフレーム、および基地局がダウンリンク信号を送信するサブフレームを決定した後に、基地局は、第２の測定情報を決定してよく、ここで、第２の測定情報は、基地局がダウンリンク信号を送信するサブフレームと、基地局がアップリンク信号を受信するサブフレームとの間の差を示すために用いられる。例えば、第２の測定情報は、基地局がアップリンク信号を受信するサブフレームのサブフレーム番号、および基地局がダウンリンク信号を送信するサブフレームのサブフレーム番号を含んでよい。別の例において、第２の測定情報は、基地局がダウンリンク信号を送信するサブフレームと、基地局がアップリンク信号を受信するサブフレームとの間の差を含んでよい。例えば、基地局がアップリンク信号を受信するサブフレームのサブフレーム番号が２であり、基地局がダウンリンク信号を送信するサブフレームのサブフレーム番号が４であり、かつ、第１のサブフレームのサブフレーム長が０．１２５ｍｓであるとき、基地局は、基地局がダウンリンク信号を送信するサブフレームと、基地局がアップリンク信号を受信するサブフレームとの間の差が（４−２）×０．１２５＝０．２５ｍｓであると決定してよい。言い換えれば、基地局がアップリンク信号を処理する持続時間は、０．２５ｍｓである。
【０１２５】
Ｓ４０６．基地局は、第１の測定情報および第２の測定情報を測位サーバへ送信する。
【０１２６】
第１の測定情報および第２の測定情報を決定した後に、基地局は、基地局と測位サーバとの間の通信インタフェースを用いることによって、第１の測定情報および第２の測定情報を測位サーバへ送信してよい。
【０１２７】
Ｓ４０７．測位サーバは、第１の測定情報および第２の測定情報に基づき、端末機器を位置特定する。
【０１２８】
基地局と測位サーバとの間の通信インタフェースを用いることによって第１の測定情報および第２の測定情報を受信した後に、測位サーバは、（ｅＮＢ  Ｒｘ−Ｔｘ時間差−（基地局がダウンリンク信号を送信するサブフレーム−基地局がアップリンク信号を受信するサブフレーム））／（２×光速度）という式を用いることによって、端末機器と基地局との間の距離を取得し、端末機器と基地局との間の距離に基づき、端末機器を位置特定してよい。
【０１２９】
図４に示されている測位情報伝送方法において、基地局は、ダウンリンク信号の送信時間と、アップリンク信号の受信時間との間の差を含む第１の測定情報を決定し、基地局がダウンリンク信号を送信するサブフレームと、基地局がアップリンク信号を受信するサブフレームとの間の差を示すために用いられる第２の測定情報を決定し、測位サーバにより端末機器を位置特定するために、第１の測定情報および第２の測定情報を測位サーバへ送信し、それにより、測位精度が向上する。
【０１３０】
図１に示されている測位情報伝送システムの概略的アーキテクチャ図に基づき、図５は、本発明のまた別の実施形態に係る測位情報伝送方法の概略的フローチャートである。図５に示されているように、本願発明の本実施形態における測位情報伝送方法は、以下の段階を備えてよい。
【０１３１】
Ｓ５０１．端末機器は、アップリンク信号を基地局へ送信する。
【０１３２】
具体的な実施方式において、端末機器は、予め設定された持続時間の間隔でアップリンク信号を基地局へ送信し、基地局により送信されたダウンリンク信号を受信してよい。第１の測定情報および第２の測定情報を決定した後に、端末機器は、測位サーバにより端末機器を位置特定するために、第１の測定情報および第２の測定情報を測位サーバへ送信してよい。
【０１３３】
任意選択的に、端末機器を位置特定する要求を受信した後に、測位サーバは、ＵＥ  Ｒｘ−Ｔｘ時間差を測定するよう端末機器を設定してよい。この場合、端末機器は、アップリンク信号を基地局へ送信してよい。
【０１３４】
任意選択的に、測位サーバは、端末機器が第２の測定情報を報告する能力を有するか否かについて問い合わせてよい。端末機器が第２の測定情報を報告する能力を有することを、端末機器が測位サーバに報告したとき、測位サーバは、第２の測定情報取得要求を端末機器へ送信してよい。端末機器は、第２の測定情報取得要求に応じて、アップリンク信号を基地局へ送信してよい。任意選択的に、端末機器は代替的に、第２の測定情報取得要求に応じて、直近で取得された第２の測定情報を測位サーバへ送信してよい。
【０１３５】
Ｓ５０２．基地局は、ダウンリンク信号を生成し、ダウンリンク信号を端末機器へ送信する。
【０１３６】
詳細については、段階Ｓ４０２に関する前述の説明を参照されたい。詳細は、本願発明の本実施形態において再び説明されない。
【０１３７】
Ｓ５０３．端末機器は、第１の測定情報を決定し、ここで、第１の測定情報は、ダウンリンク信号の受信時間とアップリンク信号の送信時間との間の差を含む。
【０１３８】
アップリンク信号を基地局へ送信したとき、端末機器は、アップリンク信号の送信時間を決定してよく、基地局により送信されたダウンリンク信号を受信したとき、端末機器は、ダウンリンク信号の受信時間を決定してよく、これにより、ダウンリンク信号の受信時間とアップリンク信号の送信時間との間の差を用いることによって、第１の測定情報を取得する。
【０１３９】
Ｓ５０４．端末機器は、端末機器がダウンリンク信号を受信するサブフレーム、および端末機器がアップリンク信号を送信するサブフレームを決定する。
【０１４０】
アップリンク信号を基地局へ送信した後に、端末機器は、端末機器がアップリンク信号を送信するサブフレーム、例えば、端末機器がアップリンク信号を送信するサブフレームの番号を決定してよい。加えて、基地局により送信されたダウンリンク信号を受信した後に、端末機器は、端末機器がダウンリンク信号を受信するサブフレーム、例えば、端末機器がダウンリンク信号を受信するサブフレームの番号を決定してよい。
【０１４１】
Ｓ５０５．端末機器は、第２の測定情報を決定し、ここで、第２の測定情報は、端末機器がダウンリンク信号を受信する例えば、端末機器がアップリンク信号を送信するサブフレームの番号と、端末機器がアップリンク信号を送信するサブフレームとの間の差を示すために用いられる。
【０１４２】
端末機器がアップリンク信号を送信するサブフレーム、および端末機器がダウンリンク信号を受信するサブフレームを決定した後に、端末機器は、第２の測定情報を決定してよく、ここで、第２の測定情報は、端末機器がダウンリンク信号を受信するサブフレームと、端末機器がアップリンク信号を送信するサブフレームとの間の差を示すために用いられる。例えば、第２の測定情報は、端末機器がアップリンク信号を送信するサブフレームのサブフレーム番号、および端末機器がダウンリンク信号を受信するサブフレームのサブフレーム番号を含んでよい。別の例において、第２の測定情報は、端末機器がダウンリンク信号を受信するサブフレームと、端末機器がアップリンク信号を送信するサブフレームとの間の差を含んでよい。例えば、端末機器がアップリンク信号を送信するサブフレームのサブフレーム番号が２であり、端末機器がダウンリンク信号を受信するサブフレームのサブフレーム番号が４であるとき、かつ、第１のサブフレームのサブフレーム長が０．１２５ｍｓであるとき、端末機器は、端末機器がダウンリンク信号を受信するサブフレームと、端末機器がアップリンク信号を送信するサブフレームとの間の差が（４−２）×０．１２５＝０．２５ｍｓであると決定してよい。言い換えれば、基地局がアップリンク信号を処理する持続時間は、０．２５ｍｓである。
【０１４３】
Ｓ５０６．端末機器は、第１の測定情報および第２の測定情報を測位サーバへ送信する。
【０１４４】
第１の測定情報および第２の測定情報を決定した後に、端末機器は、端末機器と測位サーバとの間の通信インタフェースを用いることによって第１の測定情報および第２の測定情報を測位サーバへ送信してよい。
【０１４５】
Ｓ５０７．測位サーバは、第１の測定情報および第２の測定情報に基づき、端末機器を位置特定する。
【０１４６】
端末機器と測位サーバとの間の通信インタフェースを用いることによって第１の測定情報および第２の測定情報を受信した後に、測位サーバは、（ＵＥ  Ｒｘ−Ｔｘ時間差−（端末機器がダウンリンク信号を受信するサブフレーム−端末機器がアップリンク信号を送信するサブフレーム））／（２×光速度）という式を用いることによって端末機器と基地局との間の距離を取得し、端末機器と基地局との間の距離に基づき、端末機器を位置特定してよい。
【０１４７】
図５に示されている測位情報伝送方法において、端末機器は、ダウンリンク信号の送信時間とアップリンク信号の受信時間との間の差を含む第１の測定情報を決定し、基地局がダウンリンク信号を送信するサブフレームと、基地局がアップリンク信号を受信するサブフレームとの間の差を示すために用いられる第２の測定情報を決定し、測位サーバにより端末機器を位置特定するために、第１の測定情報および第２の測定情報を測位サーバへ送信し、それにより、測位精度が向上する。
【０１４８】
図１に示されている測位情報伝送システムの概略的アーキテクチャ図に基づき、図６は、本発明のさらにまた別の実施形態に係る測位情報伝送方法の概略的フローチャートである。図６に示されているように、本願発明の本実施形態における測位情報伝送方法は、以下の段階を含んでよい。
【０１４９】
Ｓ６０１．端末機器は、アップリンク信号を基地局へ送信する。
【０１５０】
詳細については、段階Ｓ４０１に関する前述の説明を参照されたい。詳細は、本願発明の本実施形態において再び説明されない。
【０１５１】
Ｓ６０２．基地局は、ダウンリンク信号を生成し、ダウンリンク信号を端末機器へ送信する。
【０１５２】
詳細については、段階Ｓ４０２に関する前述の説明を参照されたい。詳細は、本願発明の本実施形態において再び説明されない。
【０１５３】
Ｓ６０３．端末機器は、第１の測定情報を決定し、ここで、第１の測定情報は、ダウンリンク信号の受信時間とアップリンク信号の送信時間との間の差を含む。
【０１５４】
詳細については、段階Ｓ５０３に関する前述の説明を参照されたい。詳細は、本願発明の本実施形態において再び説明されない。
【０１５５】
Ｓ６０４．端末機器は、端末機器がダウンリンク信号を受信するサブフレーム、および端末機器がアップリンク信号を送信するサブフレームを決定する。
【０１５６】
詳細については、段階Ｓ５０４に関する前述の説明を参照されたい。詳細は、本願発明の本実施形態において再び説明されない。
【０１５７】
Ｓ６０５．端末機器は、第２の測定情報を決定し、ここで、第２の測定情報は、端末機器がダウンリンク信号を受信するサブフレームと、端末機器がアップリンク信号を送信するサブフレームとの間の差を示すために用いられる。
【０１５８】
詳細については、段階Ｓ５０５に関する前述の説明を参照されたい。詳細は、本願発明の本実施形態において再び説明されない。
【０１５９】
Ｓ６０６．端末機器は、第１の測定情報および第２の測定情報を基地局へ送信する。
【０１６０】
Ｓ６０７．基地局は、第１の測定情報および第２の測定情報を測位サーバへ送信する。
【０１６１】
Ｓ６０８．測位サーバは、第１の測定情報および第２の測定情報に基づき、端末機器を位置特定する。
【０１６２】
任意選択的に、基地局がダウンリンク信号を生成してダウンリンク信号を端末機器へ送信した後に、基地局は、第１の測定情報を決定してよく、基地局は、第１の測定情報を測位サーバへ送信し、端末機器は、第２の測定情報を決定してよく、端末機器は、第２の測定情報を測位サーバへ送信し、これにより、測位サーバは、第１の測定情報および第２の測定情報に基づき、端末機器を位置特定する。
【０１６３】
任意選択的に、基地局がダウンリンク信号を生成し、ダウンリンク信号を端末機器へ送信した後に、基地局は、第１の測定情報を決定してよく、端末機器は、第２の測定情報を決定し、端末機器は、第２の測定情報を基地局へ送信してよく、基地局は、第１の測定情報および第２の測定情報を測位サーバへ送信し、これにより、測位サーバは、第１の測定情報および第２の測定情報に基づき、端末機器を位置特定する。
【０１６４】
任意選択的に、基地局は、ダウンリンク信号を生成してダウンリンク信号を端末機器へ送信した後に、端末機器は、第１の測定情報を決定してよく、端末機器は、第１の測定情報を測位サーバへ送信し、基地局は、第２の測定情報を決定してよく、基地局は、第２の測定情報を測位サーバへ送信し、これにより、測位サーバは、第１の測定情報および第２の測定情報に基づき、端末機器を位置特定する。
【０１６５】
任意選択的に、基地局がダウンリンク信号を生成してダウンリンク信号を端末機器へ送信した後に、端末機器は、第１の測定情報を決定してよく、端末機器は、第１の測定情報を基地局へ送信し、基地局は、第２の測定情報を決定してよく、基地局は、第１の測定情報および第２の測定情報を測位サーバへ送信し、これにより、測位サーバは、第１の測定情報および第２の測定情報に基づき、端末機器を位置特定する。
【０１６６】
図６に示されている測位情報伝送方法において、端末機器は、第１の測定情報および第２の測定情報を決定し、次に、第１の測定情報および第２の測定情報を基地局へ送信してよく、基地局は、測位サーバにより端末機器を位置特定するために、第１の測定情報および第２の測定情報を測位サーバへ送信し、それにより、測位精度が向上する。
【０１６７】
図１に示されている測位情報伝送システムの概略的アーキテクチャ図に基づき、図７は、本発明のさらなる実施形態に係る測位情報伝送方法の概略的フローチャートである。図７において示されているように、本願発明の本実施形態における測位情報伝送方法は、以下の段階を備えてよい。
【０１６８】
Ｓ７０１．基地局は、ダウンリンク信号を端末機器へ送信する。
【０１６９】
詳細については、段階Ｓ２０１に関する前述の説明を参照されたい。詳細は、本願発明の本実施形態において再び説明されない。
【０１７０】
Ｓ７０２．端末機器は、アップリンク信号を生成し、アップリンク信号を基地局へ送信する。
【０１７１】
詳細については、段階Ｓ２０２に関する前述の説明を参照されたい。詳細は、本願発明の本実施形態において再び説明されない。
【０１７２】
Ｓ７０３．基地局は、第３の測定情報を決定し、ここで、第３の測定情報は、基地局と端末機器との間の距離を示すために用いられるか、または、第３の測定情報は、アップリンク信号の伝送時間および／またはダウンリンク信号の伝送時間を示すために用いられる。
【０１７３】
具体的な実施方式において、基地局は、アップリンク信号の受信時間と、ダウンリンク信号の送信時間との間の差を含む第１の測定情報を決定し、基地局がアップリンク信号を受信するサブフレームと、基地局がダウンリンク信号を送信するサブフレームとの間の差を示すために用いられる第２の測定情報を決定してよく、基地局は、第１の測定情報および第２の測定情報に基づき、第３の測定情報を計算してよい。例えば、基地局は、第１の測定情報から第２の測定情報を差し引き、取得された第３の測定情報は、アップリンク信号の伝送時間およびダウンリンク信号の伝送時間の合計を示すために用いられる。別の例において、基地局は、第２の測定情報を第１の測定情報から差し引いた後に得られた差の半分を、第３の測定情報として用い、ここで、第３の測定情報は、アップリンク信号の伝送時間、またはダウンリンク信号の伝送時間を示すために用いられる。別の例において、基地局は、第１の測定情報と第２の測定情報との間の差の半分を光速度で割った後に得られた指数を、第３の測定情報として用い、ここで、第３の測定情報は、基地局と端末機器との間の片道距離を示すために用いられる。別の例において、基地局は、第１の測定情報と第２の測定情報との間の差を光速度で割った後に得られた指数を、第３の測定情報として用い、ここで、第３の測定情報は、基地局と端末機器との間の往復距離を示すために用いられる。
【０１７４】
任意選択的に、端末機器は、第２の測定情報を決定し、第２の測定情報を基地局へ送信してよく、基地局は、決定された第１の測定情報と、端末機器により送信された第２の測定情報とに基づき、第３の測定情報を計算する。
【０１７５】
Ｓ７０４．基地局は、第３の測定情報を測位サーバへ送信する。
【０１７６】
基地局は、基地局と測位サーバとの間の通信インタフェースを用いることによって、第３の測定情報を測位サーバへ送信してよい。
【０１７７】
Ｓ７０５．測位サーバは、第３の測定情報に基づき、端末機器を位置特定する。
【０１７８】
図７に示されている測位情報伝送方法において、基地局は、測位サーバにより端末機器を位置特定するために、基地局と端末機器との間の距離を示すために用いられるか、またはアップリンク信号の伝送時間および／またはダウンリンク信号の伝送時間を示すために用いられる第３の測定情報を測位サーバへ送信し、それにより、測位精度が向上する。
【０１７９】
図１に示されている測位情報伝送システムの概略的アーキテクチャ図に基づき、図８は、本発明のまたさらなる実施形態に係る測位情報伝送方法の概略的フローチャートである。図８に示されているように、本願発明の本実施形態における測位情報伝送方法は、以下の段階を備えてよい。
【０１８０】
Ｓ８０１．端末機器は、アップリンク信号を基地局へ送信する。
【０１８１】
詳細については、段階Ｓ４０１に関する前述の説明を参照されたい。詳細は、本願発明の本実施形態において再び説明されない。
【０１８２】
Ｓ８０２．基地局は、ダウンリンク信号を生成し、ダウンリンク信号を端末機器へ送信する。
【０１８３】
詳細については、段階Ｓ４０２に関する前述の説明を参照されたい。詳細は、本願発明の本実施形態において再び説明されない。
【０１８４】
Ｓ８０３．基地局は、第３の測定情報を決定し、ここで、第３の測定情報は、基地局と端末機器との間の距離を示すために用いられるか、または、第３の測定情報は、アップリンク信号の伝送時間および／またはダウンリンク信号の伝送時間を示すために用いられる。
【０１８５】
具体的な実施方式において、基地局は、第１の測定情報は、ダウンリンク信号の送信時間とアップリンク信号の受信時間との間の差を含む第１の測定情報を決定し、基地局がダウンリンク信号を送信するサブフレームと基地局がアップリンク信号を受信するサブフレームとの間の差を示すために用いられる第２の測定情報を決定してよく、基地局は、第１の測定情報および第２の測定情報に基づき、第３の測定情報を計算してよい。例えば、基地局は、第１の測定情報から第２の測定情報を差し引き、取得された第３の測定情報は、アップリンク信号の伝送時間およびダウンリンク信号の伝送時間の合計を示すために用いられる。別の例において、基地局は、第２の測定情報を第１の測定情報から差し引いた後に得られた差の半分を、第３の測定情報として用い、ここで、第３の測定情報は、アップリンク信号の伝送時間またはダウンリンク信号の伝送時間を示すために用いられる。別の例において、基地局は、第１の測定情報と第２の測定情報との間の差の半分を光速度で割った後に得られた指数を、第３の測定情報として用い、ここで、第３の測定情報は、基地局と端末機器との間の片道距離を示すために用いられる。別の例において、基地局は、第１の測定情報と第２の測定情報との間の差を光速度で割った後に得られた指数を、第３の測定情報として用い、ここで、第３の測定情報は、基地局と端末機器との間の往復距離を示すために用いられる。
【０１８６】
任意選択的に、端末機器は、第２の測定情報を決定し、第２の測定情報を基地局へ送信してよく、基地局は、決定された第１の測定情報と、端末機器により送信された第２の測定情報とに基づき、第３の測定情報を計算する。
【０１８７】
任意選択的に、端末機器は、第１の測定情報を決定し、第１の測定情報を基地局へ送信してよく、基地局は、端末機器により送信された第１の測定情報と、決定された第２の測定情報とに基づき、第３の測定情報を計算する。
【０１８８】
任意選択的に、端末機器は、第１の測定情報および第２の測定情報を決定し、第１の測定情報および第２の測定情報を基地局へ送信してよく、基地局は、端末機器により送信された第１の測定情報および第２の測定情報に基づき、第３の測定情報を計算する。
【０１８９】
Ｓ８０４．基地局は、第３の測定情報を測位サーバへ送信する。
【０１９０】
Ｓ８０５．測位サーバは、第３の測定情報に基づき、端末機器を位置特定する。
【０１９１】
図８に示されている測位情報伝送方法において、基地局は、測位サーバにより端末機器を位置特定するために、基地局と端末機器との間の距離を示すために用いられるか、または、アップリンク信号の伝送時間および／またはダウンリンク信号の伝送時間を示すために用いられる第３の測定情報を測位サーバへ送信し、それにより、測位精度が向上する。
【０１９２】
図１において示される測位情報伝送システムの概略的アーキテクチャ図に基づき、図９は、本発明のまたさらなる実施形態に係る測位情報伝送方法の概略的フローチャートである。図９に示されているように、本願発明の本実施形態における測位情報伝送方法は、以下の段階を備えてよい。
【０１９３】
Ｓ９０１．端末機器は、アップリンク信号を基地局へ送信する。
【０１９４】
詳細については、段階Ｓ５０１に関する前述の説明を参照されたい。詳細は、本願発明の本実施形態において再び説明されない。
【０１９５】
Ｓ９０２．基地局は、ダウンリンク信号を生成し、ダウンリンク信号を端末機器へ送信する。
【０１９６】
詳細については、段階Ｓ４０２に関する前述の説明を参照されたい。詳細は本願発明の本実施形態において再び説明されない。
【０１９７】
Ｓ９０３．端末機器は、第３の測定情報を決定し、ここで、第３の測定情報は、基地局と端末機器との間の距離を示すために用いられるか、または、第３の測定情報は、アップリンク信号の伝送時間および／またはダウンリンク信号の伝送時間を示すために用いられる。
【０１９８】
具体的な実施方式において、端末機器は、ダウンリンク信号の受信時間とアップリンク信号の送信時間との間の差を含む第１の測定情報を決定し、端末機器がダウンリンク信号を受信するサブフレームと端末機器がアップリンク信号を送信するサブフレームとの間の差を示すために用いられる第２の測定情報を決定してよく、端末機器は、第１の測定情報および第２の測定情報に基づき、第３の測定情報を計算してよい。例えば、端末機器は、第２の測定情報を第１の測定情報から差し引き、取得された第３の測定情報は、アップリンク信号の伝送時間およびダウンリンク信号の伝送時間の合計を示すために用いられる。別の例において、端末機器は、第２の測定情報を第１の測定情報から差し引いた後に得られた差の半分を、第３の測定情報として用い、ここで、第３の測定情報は、アップリンク信号の伝送時間またはダウンリンク信号の伝送時間を示すために用いられる。別の例において、端末機器は、第１の測定情報と第２の測定情報との間の差の半分を光速度で割った後に得られた指数を、第３の測定情報として用い、ここで、第３の測定情報は、基地局と端末機器との間の片道距離を示すために用いられる。別の例において、端末機器は、第１の測定情報と第２の測定情報との間の差を光速度で割った後に得られた指数を、取得されとして用いし、ここで、第３の測定情報は、基地局と端末機器との間の往復距離を示すために用いられる。
【０１９９】
Ｓ９０４．端末機器は、第３の測定情報を測位サーバへ送信する。
【０２００】
Ｓ９０５．測位サーバは、第３の測定情報に基づき、端末機器を位置特定する。
【０２０１】
図９に示されている測位情報伝送方法において、端末機器は、測位サーバにより端末機器を位置特定するために、基地局と端末機器との間の距離を示すために用いられるか、またはアップリンク信号の伝送時間および／またはダウンリンク信号の伝送時間を示すために用いられる第３の測定情報を測位サーバへ送信し、それにより、測位精度が向上する。
【０２０２】
図１０は、本発明の実施形態に係る基地局の概略構造図である。図１０において示されているように、本願発明の本実施形態における基地局は、サブフレーム決定モジュール１１と、測定情報決定モジュール１２と、測定情報送信モジュール１３とを含んでよい。
【０２０３】
サブフレーム決定モジュール１１は、アップリンク信号を保持するためのアップリンクサブフレームを決定するよう構成される。
【０２０４】
サブフレーム決定モジュール１１はさらに、ダウンリンク信号を保持するためのダウンリンクサブフレームを決定するよう構成される。
【０２０５】
測定情報決定モジュール１２は、第１の測定情報を決定するよう構成され、ここで、第１の測定情報は、アップリンク信号の受信時間とダウンリンク信号の送信時間との間の差を含むか、または、第１の測定情報は、ダウンリンク信号の受信時間とアップリンク信号の送信時間との間の差を含む。
【０２０６】
測定情報決定モジュール１２はさらに、第２の測定情報を決定するよう構成され、ここで、第２の測定情報は、アップリンクサブフレームとダウンリンクサブフレームとの間の差を示すために用いられる。
【０２０７】
測定情報送信モジュール１３は、測位サーバにより端末機器を位置特定するために、第１の測定情報および第２の測定情報を測位サーバへ送信するよう構成される。
【０２０８】
任意選択的に、アップリンクサブフレームとダウンリンクサブフレームとの間の差は、アップリンクサブフレームのサブフレーム識別子とダウンリンクサブフレームのサブフレーム識別子との間の差を用いることによって取得される。
【０２０９】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、および、アップリンクサブフレームとダウンリンクサブフレームとの間の設定（ＵＬ／ＤＬ  ｃｏｎｆｉｇｕｒａｔｉｏｎ）のうち少なくとも１つを含む。
【０２１０】
さらに、任意選択の実施形態において、基地局はさらに、測定情報送信モジュール１３が第２の測定情報を測位サーバへ送信する前に、基地局が第２の測定情報を送信する能力を有することを示すために用いられる識別情報を測位サーバへ送信するよう構成される識別情報送信モジュール１４を備えてよい。
【０２１１】
測定情報送信モジュール１３はさらに、測位サーバにより識別情報に応じてフィードバックされた測定情報取得要求が受信されたとき、第２の測定情報を測位サーバへ送信するよう構成される。
【０２１２】
本願発明の本実施形態において、サブフレーム決定モジュール１１は、アップリンク信号を保持するためのアップリンクサブフレームおよびダウンリンク信号を保持するためのダウンリンクサブフレームを決定し、測定情報決定モジュール１２は、第１の測定情報および第２の測定情報を決定し、測定情報送信モジュール１３は、測位サーバにより端末機器を位置特定するために、第１の測定情報および第２の測定情報を測位サーバへ送信し、それにより、測位精度が向上する。
【０２１３】
図１１は、本発明の別の実施形態に係る基地局の概略構造図である。図１１に示されているように、本願発明の本実施形態における基地局は、測定情報決定モジュール２１および測定情報送信モジュール２２を含んでよい。
【０２１４】
測定情報決定モジュール２１は、第３の測定情報を決定するよう構成され、ここで、第３の測定情報は、基地局と端末機器との間の距離を示すために用いられるか、または第３の測定情報は、アップリンク信号の伝送時間および／またはダウンリンク信号の伝送時間を示すために用いられる。
【０２１５】
測定情報送信モジュール２２は、測位サーバにより端末機器を位置特定するために、第３の測定情報を測位サーバへ送信するよう構成される。
【０２１６】
さらに、任意選択の実施形態において、測定情報決定モジュール２１は具体的に、端末機器により送信された第３の測定情報を受信するよう構成される。
【０２１７】
さらに、任意選択の実施形態において、測定情報決定モジュール２１は具体的に、アップリンク信号の受信時間とダウンリンク信号の送信時間との間の差を含むか、または、ダウンリンク信号の受信時間とアップリンク信号の送信時間との間の差を含む第１の測定情報を決定し、端末機器により送信された、アップリンク信号を保持するためのアップリンクサブフレームとダウンリンク信号を保持するためのダウンリンクサブフレームとの間の差を示すために用いられる第２の測定情報を受信し、第１の測定情報および第２の測定情報に基づき、第３の測定情報を計算するよう構成されてよい。
【０２１８】
任意選択的に、アップリンクサブフレームとダウンリンクサブフレームとの間の差は、アップリンクサブフレームのサブフレーム識別子と、ダウンリンクサブフレームのサブフレーム識別子との間の差を用いることによって取得される。
【０２１９】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、および、アップリンクサブフレームとダウンリンクサブフレームとの間の設定（ＵＬ／ＤＬ  ｃｏｎｆｉｇｕｒａｔｉｏｎ）のうち少なくとも１つを含む。
【０２２０】
さらに、任意選択の実施形態において、基地局はさらに、測定情報送信モジュール２２が第３の測定情報を測位サーバへ送信する前に、識別情報を測位サーバへ送信するよう構成される識別情報送信モジュール２３であって、識別情報は、基地局が第３の測定情報を送信する能力を有することを示すために用いられる、識別情報送信モジュール２３を備えてよく、測定情報送信モジュール２２はさらに、測位サーバにより識別情報に応じてフィードバックされた測定情報取得要求が受信されたとき、第３の測定情報を測位サーバへ送信するよう構成される。
【０２２１】
任意選択的に、第３の測定情報は、アップリンク信号の伝送時間およびダウンリンク信号の伝送時間の合計と、アップリンク信号の伝送時間と、ダウンリンク信号の伝送時間と、基地局と端末機器との間の往復距離または基地局と端末機器との間の片道距離とを含む。
【０２２２】
本願発明の本実施形態において、測定情報決定モジュール２１は、第３の測定情報を決定し、測定情報送信モジュール２２は、測位サーバにより端末機器を位置特定するために、第３の測定情報を測位サーバへ送信し、それにより、測位精度が向上する。
【０２２３】
図１２は、本発明の実施形態に係る端末機器の概略構造図である。図１２に示されているように、本願発明の本実施形態における端末機器は、測定情報決定モジュール３１および測定情報送信モジュール３２を備えてよい。
【０２２４】
測定情報決定モジュール３１は、第１の測定情報を決定するよう構成され、ここで、第１の測定情報は、ダウンリンク信号の受信時間とアップリンク信号の送信時間との間の差を含む。
【０２２５】
測定情報送信モジュール３２は、測位サーバにより端末機器を位置特定するために、第１の測定情報を測位サーバへ送信するよう構成される。
【０２２６】
さらに、任意選択の実施形態において、端末機器はさらに、アップリンク信号を保持するためのアップリンクサブフレームを決定するよう構成されるサブフレーム決定モジュール３３を備えてよく、サブフレーム決定モジュール３３はさらに、ダウンリンク信号を保持するためのダウンリンクサブフレームを決定するよう構成され、測定情報決定モジュール３１はさらに、アップリンクサブフレームとダウンリンクサブフレームとの間の差を示すために用いられる第２の測定情報を決定するよう構成され、測定情報決定モジュール３１はさらに、第１の測定情報および第２の測定情報に基づき、基地局と端末機器との間の距離を示すために用いられるか、またはアップリンク信号の伝送時間および／またはダウンリンク信号の伝送時間を示すために用いられる第３の測定情報を計算するよう構成され、測定情報送信モジュール３２はさらに、測位サーバにより端末機器を位置特定するために、第３の測定情報を測位サーバへ送信するよう構成される。
【０２２７】
さらに、任意選択の実施形態において、端末機器はさらに、アップリンク信号を保持するためのアップリンクサブフレームを決定するよう構成されるサブフレーム決定モジュール３３を備えてよく、サブフレーム決定モジュール３３はさらに、ダウンリンク信号を保持するためにダウンリンクサブフレームを決定するよう構成され、測定情報決定モジュール３１はさらに、アップリンクサブフレームとダウンリンクサブフレームとの間の差を示すために用いられる第２の測定情報を決定するよう構成され、測定情報送信モジュール３２はさらに、第２の測定情報を測位サーバへ送信するよう構成される。
【０２２８】
さらに、任意選択の実施形態において、端末機器はさらに、アップリンク信号を保持するためのアップリンクサブフレームを決定するよう構成されるサブフレーム決定モジュール３３を備えてよく、サブフレーム決定モジュール３３はさらに、ダウンリンク信号を保持するためのダウンリンクサブフレームを決定するよう構成され、測定情報決定モジュール３１はさらに、アップリンクサブフレームとダウンリンクサブフレームとの間の差を示すために用いられる第２の測定情報を決定するよう構成され、測定情報送信モジュール３２はさらに、第２の測定情報を基地局へ送信するよう構成される。
【０２２９】
任意選択的に、アップリンクサブフレームとダウンリンクサブフレームとの間の差は、アップリンクサブフレームのサブフレーム識別子と、ダウンリンクサブフレームのサブフレーム識別子との間の差を用いることによって取得される。
【０２３０】
さらに、任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、および、アップリンクサブフレームとダウンリンクサブフレームとの間の設定（ＵＬ／ＤＬ  ｃｏｎｆｉｇｕｒａｔｉｏｎ）のうち少なくとも１つを含む。
【０２３１】
さらに、任意選択の実施形態において、端末機器はさらに、測定情報送信モジュール３２が第２の測定情報を測位サーバへ送信する前に、端末機器が第２の測定情報を送信する能力を有することを示すために用いられる識別情報を測位サーバへ送信するよう構成される識別情報送信モジュール３４を備えてよく、測定情報送信モジュール３２はさらに、測位サーバにより識別情報に応じてフィードバックされた測定情報取得要求が受信されたとき、第２の測定情報を測位サーバへ送信するよう構成される。
【０２３２】
さらに、任意選択の実施形態において、端末機器はさらに、測定情報送信モジュールが第３の測定情報を測位サーバへ送信する前に、端末機器が第３の測定情報を送信する能力を有することを示すために用いられる識別情報を測位サーバへ送信するよう構成される識別情報送信モジュール３４を備えてよく、測定情報送信モジュール３２はさらに、測位サーバにより識別情報に応じてフィードバックされた測定情報取得要求が受信されたとき、第３の測定情報を測位サーバへ送信するよう構成される。
【０２３３】
任意選択的に、第３の測定情報は、アップリンク信号の伝送時間およびダウンリンク信号の伝送時間の合計と、アップリンク信号の伝送時間と、ダウンリンク信号の伝送時間と、基地局と端末機器との間の往復距離または基地局と端末機器との間の片道距離とを含む。
【０２３４】
本願発明の本実施形態において、測定情報決定モジュール３１は、第１の測定情報を決定し、測定情報送信モジュール３２は、測位サーバにより端末機器を位置特定するために、第１の測定情報を測位サーバへ送信し、それにより、測位精度が向上する。
【０２３５】
図１３は、本発明の実施形態に係る測位サーバの概略構造図である。図１３に示されているように、本願発明の本実施形態における測位サーバは、測定情報受信モジュール４１および測位モジュール４２を備えてよい。
【０２３６】
測定情報受信モジュール４１は、第１の測定情報および第２の測定情報を受信するよう構成され、ここで第１の測定情報は、アップリンク信号の受信時間とダウンリンク信号の送信時間との間の差を含むか、または、第１の測定情報はダウンリンク信号の受信時間とアップリンク信号の送信時間との間の差を含み、第２の測定情報は、アップリンク信号を保持するためのアップリンクサブフレームとダウンリンク信号を保持するためのダウンリンクサブフレームとの間の差を示すために用いられる。
【０２３７】
測位モジュール４２は、第１の測定情報および第２の測定情報に基づき、端末機器を位置特定するよう構成される。
【０２３８】
さらに、任意選択の実施形態において、測定情報受信モジュール４１はさらに、第３の測定情報を受信するよう構成され、ここで、第３の測定情報は、基地局と端末機器との間の距離を示すために用いられるか、または、第３の測定情報はアップリンク信号お伝送時間および／またはダウンリンク信号の伝送時間を示すために用いられ、測位モジュール４２はさらに、第３の測定情報に基づき、端末機器を位置特定するよう構成される。
【０２３９】
さらに、任意選択の実施形態において、測定情報受信モジュール４１は、第１の測定情報よび第３の測定情報のみを受信し、または第３の測定情報のみを受信し得て、測位モジュールは、第１の測定情報および第３の測定情報に基づき、または第３の測定情報に基づき、端末機器を位置特定することに留意される必要がある。
【０２４０】
任意選択的に、第２の測定情報は、アップリンクサブフレームおよびダウンリンクサブフレーム、アップリンクサブフレームの繰り返し保持回数、ダウンリンクサブフレームの繰り返し保持回数、アップリンクサブフレームとダウンリンクサブフレームとの間の差、および、アップリンクサブフレームとダウンリンクサブフレームとの間の設定（ＵＬ／ＤＬ  ｃｏｎｆｉｇｕｒａｔｉｏｎ）のうち少なくとも１つを含む。
【０２４１】
さらに、任意選択的に、第３の測定情報は、アップリンク信号の伝送時間およびダウンリンク信号の伝送時間の合計と、アップリンク信号の伝送時間と、ダウンリンク信号の伝送時間と、基地局と端末機器との間の往復距離または基地局と端末機器との間の片道距離とを含む。
【０２４２】
本願発明の本実施形態において、測定情報受信モジュール４１は、第１の測定情報および第２の測定情報を受信し、測位モジュール４２は、第１の測定情報および第２の測定情報に基づき、端末機器を位置特定し、それにより、測位精度が向上する。
【０２４３】
図１４は、本発明の実施形態に係る測位情報伝送システムの概略構造図である。図１４に示されているように、システムは、基地局と、端末機器と、測位サーバとを備える。
【０２４４】
具体的には、基地局、端末機器、および測位サーバに関する前述の実施形態の関連説明を参照されたい。詳細は、ここでは再び説明されない。
【０２４５】
図１５は、本発明の実施形態に係る基地局の概略構造図である。図１５に示されているように、基地局は、プロセッサ１５０１と、メモリ１５０２と、トランスミッタ１５０３と、受信機１５０４とを備えてよい。メモリ１５０２は、高速ＲＡＭメモリであってよく、または、少なくとも１つの磁気ディスクメモリなどの不揮発性メモリ（ｎｏｎ−ｖｏｌａｔｉｌｅ  ｍｅｍｏｒｙ）であってよい。任意選択的に、メモリ１５０２はさらに、プロセッサ１５０１から遠く離れている少なくとも１つの記憶装置であってよい。
【０２４６】
メモリ１５０２は、一セットのプログラムコードを記憶し、プロセッサ１５０１は、メモリに記憶されているプログラムコードを呼び出して、アップリンク信号を保持するためのアップリンクサブフレームを決定する動作と、ダウンリンク信号を保持するためのダウンリンクサブフレームを決定する動作と、アップリンク信号の受信時間とダウンリンク信号の送信時間との間の差を含むか、またはダウンリンク信号の受信時間とアップリンク信号の送信時間との間の差を含む第１の測定情報を決定する動作と、アップリンクサブフレームとダウンリンクサブフレームとの間の差を示すために用いられる第２の測定情報を決定する動作と、測位サーバにより端末機器を位置特定するために、第１の測定情報および第２の測定情報を測位サーバへ送信する動作とを実行する。
【０２４７】
具体的には、本願発明の本実施形態において説明されている基地局は、図２から図９を参照して説明されている本発明の方法の複数の実施形態におけるいくつかの、または全ての処理を実行するよう構成されてよい。
【０２４８】
図１６は、本発明のまた別の実施形態に係る基地局の概略構造図である。図１６に示されているように、基地局は、プロセッサ１６０１と、メモリ１６０２と、トランスミッタ１６０３と、受信機１６０４とを備えてよい。メモリ１６０２は、高速ＲＡＭメモリであってよく、または少なくとも１つの磁気ディスクメモリなどの不揮発性メモリ（ｎｏｎ−ｖｏｌａｔｉｌｅ  ｍｅｍｏｒｙ）であってよい。任意選択的に、メモリ１６０２はさらに、プロセッサ１６０１から遠く離れている少なくとも１つの記憶装置であってよい。
【０２４９】
メモリ１６０２は、一セットのプログラムコードを記憶し、プロセッサ１６０１は、メモリに記憶されているプログラムコードを呼び出して、基地局と端末機器との間の距離を示すために用いられるか、またはアップリンク信号の伝送時間および／またはダウンリンク信号の伝送時間を示すために用いられる第３の測定情報を決定する動作と、測位サーバにより端末機器を位置特定するために、第３の測定情報を測位サーバじぇ送信する動作とを実行する。
【０２５０】
具体的には、本願発明の本実施形態において説明されている基地局は、図２から図９を参照して説明されている本発明の方法の複数の実施形態におけるいくつかの、または全ての処理を実行するよう構成されてよい。
【０２５１】
図１７は、本発明の実施形態に係る端末機器の概略構造図である。図１７に示されているように、端末機器は、プロセッサ１７０１と、メモリ１７０２と、トランスミッタ１７０３と、受信機１７０４とを備えてよい。メモリ１７０２は、高速ＲＡＭメモリであってよく、または少なくとも１つの磁気ディスクメモリなどの不揮発性メモリ（ｎｏｎ−ｖｏｌａｔｉｌｅ  ｍｅｍｏｒｙ）であってよい。任意選択的に、メモリ１７０２はさらに、プロセッサ１７０１から遠く離れている少なくとも１つの記憶装置であってよい。
【０２５２】
メモリ１７０２は、一セットのプログラムコードを記憶し、プロセッサ１７０１は、メモリにおいて記憶されているプログラムコードを呼び出して、ダウンリンク信号の受信時間とアップリンク信号の送信時間との間の差を含む第１の測定情報を決定する動作と、測位サーバにより端末機器を位置特定するために、第１の測定情報を測位サーバへ送信する動作とを実行する。
【０２５３】
具体的には、本願発明の本実施形態において説明されている基地局は、図２から図９を参照して説明されている本発明の方法の複数の実施形態におけるいくつかの、または全ての処理を実行するよう構成されてよい。
【０２５４】
図１８は、本発明の実施形態に係る測位サーバの概略構造図である。図１８に示されているように、測位サーバは、プロセッサ１８０１と、メモリ１８０２と、トランスミッタ１８０３と、受信機１８０４とを備えてよい。メモリ１８０２は、高速ＲＡＭメモリであってよく、または少なくとも１つの磁気ディスクメモリなどの不揮発性メモリ（ｎｏｎ−ｖｏｌａｔｉｌｅ  ｍｅｍｏｒｙ）であってよい。任意選択的に、メモリ１８０２はさらに、プロセッサ１８０１から遠く離れている少なくとも１つの記憶装置であってよい。
【０２５５】
メモリ１８０２は、一セットのプログラムコードを記憶し、プロセッサ１８０１は、メモリ１８０２に記憶されているプログラムコードを呼び出して、アップリンク信号の受信時間とダウンリンク信号の送信時間との間の差を含むか、またはダウンリンク信号の受信時間とアップリンク信号の送信時間との間の差を含む第１の測定情報と、アップリンク信号を保持するためのアップリンクサブフレームとダウンリンク信号を保持するためのダウンリンクサブフレームとの間の差を示すために用いられる第２の測定情報とを受信する動作と、第１の測定情報および第２の測定情報に基づき、端末機器を位置する動作とを実行する。
【０２５６】
具体的には、本願発明の本実施形態において説明されている基地局は、図２から図９を参照して説明されている本発明の方法の複数の実施形態におけるいくつかの、または全ての処理を実行するよう構成されてよい。
【０２５７】
本明細書の説明において、「実施形態」、「いくつかの実施形態」、「例」、「具体例」、および「いくつかの例」などの参照用語についての説明は、実施形態又は例を参照して説明されている具体的な機能、構造、材料、または特徴が本発明の少なくとも１つの実施形態又は例に含まれることを意味する。本明細書において、用語の前述の例示的表現は必ずしも、同じ実施形態又は例に対するものではない。加えて、説明されている具体的な機能、構造、材料、または特徴は、実施形態又は例のうち任意の１つまたは複数における適切な方式で組み合わせられてよい。加えて、互いに矛盾しない限り、当業者は、異なる実施形態または例と、本明細書において説明されている異なる実施形態または例の特徴とを一体化し、または組み合わせてよい。
【０２５８】
加えて、「第１の」および「第２の」という用語は、説明の目的を意図するものに過ぎず、相対的重要度の指示もしくは示唆、または、示されている技術的特徴の数量の黙示的な指示として理解されるべきではない。したがって、「第１の」または「第２の」により限定される特徴は、特徴のうち少なくとも１つを明示的にまたは黙示的に含んでよい。本願発明についての説明において、「複数の」は、別段の限定が特にされていない限り、少なくとも２つであること、例えば、２つまたは３つであることを意味する。
【０２５９】
本明細書において、フローチャートで、または別の方式で説明されている任意の処理または方法についての説明は、１つまたは複数のモジュール、セグメント、または、命令を実行することができ、特定の論理的機能または処理の段階を実行するために用いられるコードの部分が含まれ、本発明の好適な実施方式の範囲は、他の実施方式を含み、機能は、示されている、または説明されている順序以外の、関連の機能に応じて一般に同時方式または逆の順序を含む順序で、実行されてよいことを示しているとして理解されてよい。これは、本願発明の実施形態が属する技術分野の当業者により理解されるべきである。
【０２６０】
フローチャートに示されている、または本明細書において他の方式で説明されている論理および／または段階は、例えば、論理機能を実行するために用いられる実行可能な命令のプログラムリストとみなされてよく、命令実行システム、装置、またはデバイス（例えば、コンピュータベースのシステム、プロセッサを備えるシステム、または、命令実行システム、装置、もしくはデバイスからの命令をフェッチして命令を実行することができる別のシステム）が用いるために、または、命令実行システム、装置、またはデバイスの組み合わせが用いるために、任意のコンピュータ可読媒体に対して具体的に実行されてよい。本明細書の用語において、「コンピュータ可読媒体」は、命令実行システム、装置、もしくはデバイスが用いるための、または、命令実行システム、装置、もしくはデバイスの組み合わせが用いるためのプログラムを含み、記憶し、通信し、伝搬し、または伝送し得る任意の装置であってよい。コンピュータ可読媒体のより具体的な例（本列挙は包括的なものではない）は、１つまたは複数のバスを有する電装部（電気装置）、ポータブルコンピュータカートリッジ（磁気装置）、ランダムアクセスメモリ（ＲＡＭ）、リードオンリメモリ（ＲＯＭ）、電気的に消去可能プログラマブルリードオンリメモリ（ＥＰＲＯＭまたはフラッシュメモリ）、光ファイバ装置、およびコンパクトディスクリードオンリメモリ（ＣＤ−ＲＯＭ）を含む。加えて、コンピュータ可読媒体はまた、プログラムが印刷されることができる１枚の紙、または別の適切な媒体であってよい。例えば、光スキャニングが紙またはその別の媒体に対して実行され得るので、次に、必要なとき、編集、復号、または別の適切な手段などの処理は、電子方式でプログラムを取得するよう実行され得て、次に、プログラムは、コンピュータメモリに記憶される。
【０２６１】
本願発明における様々な部分は、ハードウェア、ソフトウェア、ファームウェア、またはそれらの組み合わせを用いることによって実行され得ることが理解されるべきである。前述の実施方式において、複数の段階または方法は、メモリに記憶されており、適切な命令実行システムにより実行されるソフトウェアまたはファームウェアを用いることによって実行されてよい。例えば、ハードウェアが実行のために用いられる場合、別の実施方式と同じく、データ信号のための論理機能を実行するために用いられる論理ゲート回路を有するディスクリート論理回路、適切な組み合わせ論理回路を有する特定用途向け集積回路、プログラマブルゲートアレイ（ＰＧＡ）、フィールドプログラマブルゲートアレイ（ＦＰＧＡ）、および同様のモノといった、当分野における周知技術の任意の事項または組み合わせが、実行のために用いられてよい。
【０２６２】
当業者は、方法の実施形態の段階の全てまたはいくつかが、プログラム命令関連ハードウェアにより実行され得ることを理解し得る。プログラムは、コンピュータ可読記憶媒体に記憶されてよい。プログラムが動作するとき、方法の実施形態の段階のうちの１つまたはそれらの組み合わせが実行される。
【０２６３】
加えて、本願発明の実施形態における機能ユニットは、１つの処理モジュールに一体化されてよく、または、ユニットのそれぞれが物理的に単独で存在してよく、または、２つ以上のユニットが１つのモジュールに一体化されてよい。一体化されたモジュールは、ハードウェアの形態において実行されてよく、または、ソフトウェア機能モジュールの形態において実行されてよい。一体化されたモジュールがソフトウェア機能モジュールの形態において実行され、独立した製品として販売されまたは用いられるとき、一体化されたユニットは、コンピュータ可読記憶媒体に記憶されてよい。
【０２６４】
前述の記憶媒体は、リードオンリメモリ、磁気ディスク、光ディスク、または同様のものであってよい。本願発明の実施形態が以上において示されて説明されているが、前述の実施形態は例であり、本願発明に対する限定として解釈されることができないことは理解されることができる。当業者は、本発明の範囲内において前述の実施形態に対して変更、修正、置換、および変形を施してよい。
【図１】
2019536016.tif 000003
【図２】
2019536016.tif 000004
【図３】
2019536016.tif 000005
【図４】
2019536016.tif 000006
【図５】
2019536016.tif 000007
【図６】
2019536016.tif 000008
【図７】
2019536016.tif 000009
【図８】
2019536016.tif 000010
【図９】
2019536016.tif 000011
【図１０】
2019536016.tif 000012
【図１１】
2019536016.tif 000013
【図１２】
2019536016.tif 000014
【図１３】
2019536016.tif 000015
【図１４】
2019536016.tif 000016
【図１５】
2019536016.tif 000017
【図１６】
2019536016.tif 000018
【図１７】
2019536016.tif 000019
【図１８】
2019536016.tif 000020
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
測位情報伝送方法であって、前記測位情報伝送方法は、基地局に適用され、前記測位情報伝送方法は、
アップリンク信号を保持するためのアップリンクサブフレームを決定する段階と、
ダウンリンク信号を保持するためのダウンリンクサブフレームを決定する段階と、
第１の測定情報を決定する段階であって、前記第１の測定情報は、前記アップリンク信号の受信時間と、前記ダウンリンク信号の送信時間との間の差を含むか、または、前記第１の測定情報は、前記ダウンリンク信号の受信時間と、前記アップリンク信号の送信時間との間の差を含む、段階と、
第２の測定情報を決定する段階であって、前記第２の測定情報は、前記アップリンクサブフレームと前記ダウンリンクサブフレームとの間の差を示すために用いられる、段階と、
測位サーバにより端末機器を位置付けするために、前記第１の測定情報および前記第２の測定情報を前記測位サーバへ送信する段階と
を備える、
測位情報伝送方法。
【請求項２】
前記アップリンクサブフレームと前記ダウンリンクサブフレームの間の前記差は、前記アップリンクサブフレームのサブフレーム識別子と、前記ダウンリンクサブフレームのサブフレーム識別子との間の差を用いることによって取得される、請求項１に記載の測位情報伝送方法。
【請求項３】
前記第２の測定情報は、
前記アップリンクサブフレームおよび前記ダウンリンクサブフレーム、
前記アップリンクサブフレームの繰り返し回数、
前記ダウンリンクサブフレームの繰り返し回数、
前記アップリンクサブフレームと前記ダウンリンクサブフレームとの間の前記差、および、
アップリンクサブフレームとダウンリンクサブフレームとの間の設定（ＵＬ／ＤＬ  ｃｏｎｆｉｇｕｒａｔｉｏｎ）
のうち少なくとも１つを含む、
請求項１または２に記載の測位情報伝送方法。
【請求項４】
前記第２の測定情報を測位サーバへ送信する前記段階の前に、前記測位情報伝送方法はさらに、
識別情報を前記測位サーバへ送信する段階であって、前記識別情報は、前記基地局が前記第２の測定情報を送信する能力を有することを示すために用いられる、段階と、
前記測位サーバにより前記識別情報に応じてフィードバックされた測定情報取得要求が受信されたとき、前記第２の測定情報を前記測位サーバへ送信する段階と
を備える、
請求項１から３の何れか一項に記載の測位情報伝送方法。
【請求項５】
測位情報伝送方法であって、前記測位情報伝送方法は、端末機器に適用され、前記測位情報伝送方法は、
第１の測定情報を決定する段階であって、前記第１の測定情報は、ダウンリンク信号の受信時間とアップリンク信号の送信時間との間の差を含む、段階と、
測位サーバにより前記端末機器を位置特定するために、前記第１の測定情報を前記測位サーバへ送信する段階と
を備える、
測位情報伝送方法。
【請求項６】
前記測位情報伝送方法はさらに、
前記アップリンク信号を保持するためのアップリンクサブフレームを決定する段階と、
前記ダウンリンク信号を保持するためのダウンリンクサブフレームを決定する段階と、
第２の測定情報を決定する段階であって、前記第２の測定情報は、前記アップリンクサブフレームと前記ダウンリンクサブフレームとの間の差を示すために用いられる、段階と、
前記第１の測定情報および前記第２の測定情報に基づき、第３の測定情報を計算する段階であって、前記第３の測定情報は、基地局と前記端末機器との間の距離を示すために用いられるか、または、前記第３の測定情報は、前記アップリンク信号の伝送時間および／または前記ダウンリンク信号の伝送時間を示すために用いられる、段階と、
前記測位サーバにより前記端末機器を位置特定するために、前記第３の測定情報を前記測位サーバへ送信する段階と
を備える、請求項５に記載の測位情報伝送方法。
【請求項７】
前記測位情報伝送方法はさらに、
前記アップリンク信号を保持するためのアップリンクサブフレームを決定する段階と、
前記ダウンリンク信号を保持するためのダウンリンクサブフレームを決定する段階と、
第２の測定情報を決定する段階であって、前記第２の測定情報は、前記アップリンクサブフレームと前記ダウンリンクサブフレームとの間の差を示すために用いられる、段階と、
前記第２の測定情報を前記測位サーバへ送信する段階と
を備える、請求項５または６に記載の測位情報伝送方法。
【請求項８】
前記測位情報伝送方法はさらに、
前記アップリンク信号を保持するためのアップリンクサブフレームを決定する段階と、
前記ダウンリンク信号を保持するためのダウンリンクサブフレームを決定する段階と、
第２の測定情報を決定する段階であって、前記第２の測定情報は、前記アップリンクサブフレームと前記ダウンリンクサブフレームとの間の差を示すために用いられる、段階と、
前記第２の測定情報を基地局へ送信する段階と
を備える、請求項５から７の何れか一項に記載の測位情報伝送方法。
【請求項９】
前記アップリンクサブフレームと前記ダウンリンクサブフレームとの間の前記差は、前記アップリンクサブフレームのサブフレーム識別子と前記ダウンリンクサブフレームのサブフレーム識別子との間の差を用いることによって取得される、請求項８に記載の測位情報伝送方法。
【請求項１０】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項８または９に記載の測位情報伝送方法。
【請求項１１】
測位情報伝送方法であって、前記測位情報伝送方法は測位サーバに適用され、前記測位情報伝送方法は、
第１の測定情報および第２の測定情報を受信する段階であって、前記第１の測定情報は、アップリンク信号の受信時間とダウンリンク信号の送信時間との間の差を含むか、または、前記第１の測定情報は、ダウンリンク信号の受信時間とアップリンク信号の送信時間との間の差を含み、前記第２の測定情報は、前記アップリンク信号を保持するためのアップリンクサブフレームと、前記ダウンリンク信号を保持するためのダウンリンクサブフレームとの間の差を示すために用いられる、段階と、
前記第１の測定情報および前記第２の測定情報に基づき、端末機器を位置特定する段階と
を備える、
測位情報伝送方法。
【請求項１２】
前記測位情報伝送方法はさらに、
第３の測定情報を受信する段階であって、前記第３の測定情報は、基地局と前記端末機器との間の距離を示すために用いられるか、または、前記第３の測定情報は、前記アップリンク信号の伝送時間および／または前記ダウンリンク信号の伝送時間を示すために用いられる、段階と、
前記第３の測定情報に基づき、前記端末機器を位置特定する段階とを備える、請求項１１に記載の測位情報伝送方法。
【請求項１３】
前記第２の測定情報は、
前記アップリンクサブフレームおよび前記ダウンリンクサブフレーム、
前記アップリンクサブフレームの繰り返し回数、
前記ダウンリンクサブフレームの繰り返し回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項１１または１２に記載の測位情報伝送方法。
【請求項１４】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離とを含む、請求項１２または１３に記載の測位情報伝送方法。
【請求項１５】
基地局であって、前記基地局は、
アップリンク信号を保持するためのアップリンクサブフレームを決定するよう構成されるサブフレーム決定モジュールであって、前記サブフレーム決定モジュールはさらにダウンリンク信号を保持するためのダウンリンクサブフレームを決定するよう構成される、サブフレーム決定モジュールと、
第１の測定情報を決定するよう構成される測定情報決定モジュールであって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含み、前記測定情報決定モジュールはさらに、前記アップリンクサブフレームと前記ダウンリンクサブフレームとの間の差を示すために用いられる第２の測定情報を決定するよう構成される、測定情報決定モジュールと、
測位サーバにより端末機器を位置特定するために、前記第１の測定情報および前記第２の測定情報を前記測位サーバへ送信するよう構成される測定情報送信モジュールとを備える、
基地局。
【請求項１６】
前記アップリンクサブフレームと前記ダウンリンクサブフレームとの間の前記差は、前記アップリンクサブフレームのサブフレーム識別子と、前記ダウンリンクサブフレームのサブフレーム識別子との間の差を用いることによって取得される、請求項１５に記載の基地局。
【請求項１７】
前記第２の測定情報は、
前記アップリンクサブフレームおよび前記ダウンリンクサブフレーム、
前記アップリンクサブフレームの繰り返し回数、
前記ダウンリンクサブフレームの繰り返し回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項１５または１６に記載の基地局。
【請求項１８】
前記基地局はさらに、
前記測定情報送信モジュールが前記第２の測定情報を前記測位サーバへ送信する前に、識別情報を前記測位サーバへ送信するよう構成される識別情報送信モジュールとを備え、
前記識別情報は、前記基地局が前記第２の測定情報を送信する能力を有することを示すために用いられ、
前記測定情報送信モジュールはさらに、前記測位サーバにより前記識別情報に応じてフィードバックされた測定情報取得要求が受信されたとき、前記第２の測定情報を前記測位サーバへ送信するよう構成される、請求項１５から１７の何れか一項に記載の基地局。
【請求項１９】
プロセッサおよびメモリを備える基地局であって、
前記メモリは、一セットのプログラムコードを記憶し、前記プロセッサは、前記メモリに記憶されている前記プログラムコードを呼び出して、
アップリンク信号を保持するためのアップリンクサブフレームを決定する動作と、
ダウンリンク信号を保持するためにダウンリンクサブフレームを決定する動作と、
第１の測定情報を決定する動作であって、前記第１の測定情報は、前記アップリンク信号の受信時間と前記ダウンリンク信号の送信時間との間の差を含むか、または、前記第１の測定情報は、前記ダウンリンク信号の受信時間と前記アップリンク信号の送信時間との間の差を含む、動作と、
第２の測定情報を決定する動作であって、前記第２の測定情報は、前記アップリンクサブフレームと前記ダウンリンクサブフレームとの間の差を示すために用いられる、動作と、
測位サーバにより端末機器を位置特定するために、前記第１の測定情報および前記第２の測定情報を前記測位サーバへ送信する動作と
を実行する、
基地局。
【請求項２０】
ダウンリンク信号の受信時間とアップリンク信号の送信時間との間の差を含む第１の測定情報を決定するよう構成される測定情報決定モジュールと、
測位サーバにより端末機器を位置特定するために前記第１の測定情報を前記測位サーバへ送信するよう構成される測定情報送信モジュールと
を備える
装置。
【請求項２１】
前記装置はさらに、
前記アップリンク信号を保持するためのアップリンクサブフレームを決定するよう構成されるサブフレーム決定モジュールを備え、
前記サブフレーム決定モジュールはさらに、前記ダウンリンク信号を保持するためのダウンリンクサブフレームを決定するよう構成され、
前記測定情報決定モジュールはさらに、第２の測定情報を決定するよう構成され、前記第２の測定情報は、前記アップリンクサブフレームと前記ダウンリンクサブフレームとの間の差を示すために用いられ、
前記測定情報決定モジュールはさらに、前記第１の測定情報および前記第２の測定情報に基づき、第３の測定情報を計算するよう構成され、前記第３の測定情報は、基地局と前記端末機器との間の距離を示すために用いられるか、または、前記第３の測定情報は、前記アップリンク信号の伝送時間および／または前記ダウンリンク信号の伝送時間を示すために用いられ、
前記測定情報送信モジュールはさらに、前記測位サーバにより前記端末機器を位置特定するために、前記第３の測定情報を前記測位サーバへ送信するよう構成される、
請求項２０に記載の装置。
【請求項２２】
前記装置はさらに、
前記アップリンク信号を保持するためのアップリンクサブフレームを決定するよう構成されるサブフレーム決定モジュールを備え、
前記サブフレーム決定モジュールはさらに、前記ダウンリンク信号を保持するためのダウンリンクサブフレームを決定するよう構成され、
前記測定情報決定モジュールはさらに、第２の測定情報を決定するよう構成され、前記第２の測定情報は、前記アップリンクサブフレームと前記ダウンリンクサブフレームとの間の差を示すために用いられ、
前記測定情報送信モジュールはさらに、前記第２の測定情報を前記測位サーバへ送信するよう構成される、請求項２０または２１に記載の装置。
【請求項２３】
前記装置はさらに、
前記アップリンク信号を保持するためのアップリンクサブフレームを決定するよう構成されるサブフレーム決定モジュールを備え、
前記サブフレーム決定モジュールはさらに、前記ダウンリンク信号を保持するためのダウンリンクサブフレームを決定するよう構成され、
前記測定情報決定モジュールはさらに、第２の測定情報を決定するよう構成され、前記第２の測定情報は、前記アップリンクサブフレームと前記ダウンリンクサブフレームとの間の差を示すために用いられ、
前記測定情報送信モジュールはさらに、前記第２の測定情報を基地局へ送信するよう構成される、
請求項２０から２２の何れか一項に記載の装置。
【請求項２４】
前記アップリンクサブフレームと前記ダウンリンクサブフレームの間の前記差は、前記アップリンクサブフレームのサブフレーム識別子と前記ダウンリンクサブフレームのサブフレーム識別子との間の差を用いることによって取得される、請求項２３に記載の装置。
【請求項２５】
前記第２の測定情報は、
前記アップリンクサブフレームおよび前記ダウンリンクサブフレーム、
前記アップリンクサブフレームの繰り返し保持回数、
前記ダウンリンクサブフレームの繰り返し保持回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項２３または２４に記載の装置。
【請求項２６】
プロセッサおよびメモリを備える装置であって、前記メモリは、一セットのプログラムコードを記憶し、前記プロセッサは、前記メモリに記憶されている前記プログラムコードを呼び出して、
第１の測定情報を決定する動作であって、前記第１の測定情報は、ダウンリンク信号の受信時間とアップリンク信号の送信時間との間の差を含む、動作と、
測位サーバにより端末機器を位置特定するために、前記第１の測定情報を前記測位サーバへ送信する動作とを実行する、
端末機器。
【請求項２７】
測位サーバであって、前記測位サーバは、
第１の測定情報および第２の測定情報を受信するよう構成される測定情報受信モジュールであって、前記第１の測定情報は、アップリンク信号の受信時間とダウンリンク信号の送信時間との間の差を含むか、または、前記第１の測定情報は、ダウンリンク信号の受信時間とアップリンク信号の送信時間との間の差を含み、前記第２の測定情報は、前記アップリンク信号を保持するためのアップリンクサブフレームと前記ダウンリンク信号を保持するためのダウンリンクサブフレームとの間の差を示すために用いられる、測定情報受信モジュールと、
前記第１の測定情報および前記第２の測定情報に基づき、端末機器を位置特定するよう構成される測位モジュールと
を備える、
測位サーバ。
【請求項２８】
前記測定情報受信モジュールはさらに、
第３の測定情報を受信するよう構成され、前記第３の測定情報は、基地局と前記端末機器との間の距離を示すために用いられるか、または前記第３の測定情報は、前記アップリンク信号の伝送時間および／または前記ダウンリンク信号の伝送時間を示すために用いられ、
前記測位モジュールはさらに、前記第３の測定情報に基づき、前記端末機器を位置特定するよう構成される、
請求項２７に記載の測位サーバ。
【請求項２９】
前記第２の測定情報は、
前記アップリンクサブフレームおよび前記ダウンリンクサブフレーム、
前記アップリンクサブフレームの繰り返し回数、
前記ダウンリンクサブフレームの繰り返し回数、
前記アップリンクサブフレームと前記ダウンリンクサブフレームとの間の前記差、および、
前記アップリンクサブフレームと前記ダウンリンクサブフレームとの間の設定（ＵＬ／ＤＬ  ｃｏｎｆｉｇｕｒａｔｉｏｎ）
のうち少なくとも１つを含む、請求項２７または２８に記載の測位サーバ。
【請求項３０】
前記第３の測定情報は、前記アップリンク信号の前記伝送時間および前記ダウンリンク信号の前記伝送時間の合計と、前記アップリンク信号の前記伝送時間と、前記ダウンリンク信号の前記伝送時間と、前記基地局と前記端末機器との間の往復距離または前記基地局と前記端末機器との間の片道距離とを含む、請求項２８または２９に記載の測位サーバ。
【請求項３１】
プロセッサおよびメモリを備える測位サーバであって、前記メモリは一セットのプログラムコードを記憶し、前記プロセッサは、前記メモリに記憶されている前記プログラムコードを呼び出して、
第１の測定情報および第２の測定情報を受信する動作であって、前記第１の測定情報は、アップリンク信号の受信時間とダウンリンク信号の送信時間との間の差を含むか、または、前記第１の測定情報は、前記ダウンリンク信号の受信時間と前記アップリンク信号の送信時間との間の差を含み、前記第２の測定情報は、前記アップリンク信号を保持するためのアップリンクサブフレームと、前記ダウンリンク信号を保持するためのダウンリンクサブフレームとの間の差を示すために用いられる、動作と、
前記第１の測定情報および前記第２の測定情報に基づき、端末機器を位置特定する動作と
を実行する、
測位サーバ。
【請求項３２】
記録された命令を有するコンピュータ可読記憶媒体であって、前記命令は、コンピュータに、請求項１から４の何れか一項に記載の測位情報伝送方法、請求項５から１０の何れか一項に記載の測位情報伝送方法、または請求項１１から１４の何れか一項に記載の測位情報伝送方法を実行させる、コンピュータ可読記憶媒体。
【請求項３３】
コンピュータに、請求項１から４の何れか一項に記載の測位情報伝送方法、請求項５から１０の何れか一項に記載の測位情報伝送方法、または請求項１１から１４の何れか一項に記載の測位情報伝送方法を実行させるプログラム。
【手続補正２】
【補正対象書類名】明細書
【補正対象項目名】００２９
【補正方法】変更
【補正の内容】
【００２９】
本願発明の実施形態の第５の態様は、コンピュータ記憶媒体を提供し、ここで、コンピュータ記憶媒体は、プログラムを記憶する。プログラムが実行されたとき、本願発明の実施形態の第１の態様において提供されている測位情報伝送方法の全てまたはいくつかの段階が実行される。
【手続補正３】
【補正対象書類名】明細書
【補正対象項目名】００６３
【補正方法】変更
【補正の内容】
【００６３】
従来の強化されたセルＩＤ測位（Ｅｎｈａｎｃｅｄ  Ｃｅｌｌ  ＩＤ  ｐｏｓｉｔｉｏｎｉｎｇ、Ｅ−ＣＩＤ）技術において、ＵＥと基地局との間の距離は、ＵＥ  Ｒｘ−Ｔｘ測定（ＵＥがアップリンク信号を伝送する伝送時間と、ＵＥがダウンリンク信号を受信する受信時間との間の差）、またはｅＮＢ  Ｒｘ−Ｔｘ測定（基地局がダウンリンク信号を伝送する伝送時間と、基地局がアップリンク信号を受信する受信時間との間の差）を用いることによって決定されてよい。具体的には、ＵＥと基地局との間の距離は、（ｅＮＢ  Ｒｘ−Ｔｘ時間差−（基地局がアップリンク信号を受信するアップリンクサブフレーム−基地局がダウンリンク信号を伝送するダウンリンクサブフレーム））／（２×光速度）に等しい。しかしながら、セルラベースの狭帯域のモノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）モード、ＨＤ−ＦＤＤモード、時分割複信（Ｔｉｍｅ  Ｄｉｖｉｓｉｏｎ  Ｄｕｐｌｅｘ、ＴＤＤ）モード、または同様なものに対して、基地局は、アップリンク信号が位置するサブフレームまたはダウンリンク信号が位置するサブフレームを高速にスケジューリングし得る。その結果、「基地局がアップリンク信号を受信するアップリンクサブフレームと、基地局がダウンリンク信号を伝送するダウンリンクサブフレームとの間の差」が変動する。従来の強化されたセルＩＤ測位技術において、「基地局がアップリンク信号を受信するアップリンクサブフレームと基地局がダウンリンク信号を伝送するダウンリンクサブフレームとの間の差」は既に測位サーバに知られており、かつ、「基地局がアップリンク信号を受信するアップリンクサブフレームと基地局がダウンリンク信号を伝送するダウンリンクサブフレームとの間の差」は固定で不変なままであると仮定されている。結果的に、測位サーバは、ＵＥと基地局との間の距離を正確に計算できず、測位精度が低下する。本願発明における「差」は、例えば、ＡとＢとの間の差であり、ＡからＢを差し引いた後に得られた差、またはＢからＡを差し引いた後に得られた差を含んでおり、区別しない。本願発明における「サブフレーム」は、無線フレーム、スーパーフレーム、ハイパーフレーム、サブフレーム、フレームなどの、種々の通信システムにおけるフレームの概念を含む。
【手続補正４】
【補正対象書類名】明細書
【補正対象項目名】００７０
【補正方法】変更
【補正の内容】
【００７０】
ＵＥと基地局との間で伝送される信号は、アップリンク信号およびダウンリンク信号に分類されてよい。アップリンク信号は、ＵＥにより基地局へ送信された信号でありダウンリンク信号は、基地局によりＵＥへ送信された信号である。基地局が、ＵＥにより送信されたアップリンク信号を受信するするサブフレームは、アップリンク信号を保持するためのアップリンクサブフレームと称されてよい。具体的には、基地局は、例えば、システムフレーム番号（Ｓｙｓｔｅｍ  Ｆｒａｍｅ  Ｎｕｍｂｅｒ、ＳＦＮ）情報およびサブフレーム番号情報などの、ＵＥにより送信されたアップリンク信号が位置するサブフレームのサブフレーム番号を受信してよい。基地局がダウンリンク信号を送信するサブフレームは、ダウンリンク信号を保持するためのダウンリンクサブフレームと称されてよい。具体的には、基地局は、例えば、ＳＦＮ情報およびサブフレーム番号情報などの、ＵＥにより送信されたダウンリンク信号が位置するサブフレームのサブフレーム番号を取得してよい。ＵＥが、基地局により送信されたダウンリンク信号を受信するサブフレームは、ダウンリンク信号を保持するためのダウンリンクサブフレームと称されてよい。具体的には、ＵＥは、例えば、ＳＦＮ情報およびサブフレーム番号情報などの、基地局により送信されたダウンリンク信号が位置するサブフレームのサブフレーム番号を受信してよい。ＵＥがアップリンク信号を送信するサブフレームは、アップリンク信号を保持するためのアップリンクサブフレームと称されてよい。具体的には、ＵＥは、例えば、ＳＦＮ情報およびサブフレーム番号情報などの、基地局へ送信されたアップリンク信号が位置するサブフレームのサブフレーム番号を取得してよい。概して、ＵＥがダウンリンク信号を受信するサブフレームは、基地局がダウンリンク信号を送信するサブフレームと同じであり、ＵＥがアップリンク信号を送信するサブフレームは、基地局がアップリンク信号を受信するサブフレームと同じである。
【手続補正５】
【補正対象書類名】明細書
【補正対象項目名】０２２３
【補正方法】変更
【補正の内容】
【０２２３】
図１２は、本発明の実施形態に係る端末機器の概略構造図である。図１２に示されているように、本願発明の本実施形態における端末機器は、測定情報決定モジュール３２および測定情報送信モジュール３３を備えてよい。
【手続補正６】
【補正対象書類名】明細書
【補正対象項目名】０２５３
【補正方法】変更
【補正の内容】
【０２５３】
具体的には、本願発明の本実施形態において説明されている端末機器は、図２から図９を参照して説明されている本発明の方法の複数の実施形態におけるいくつかの、または全ての処理を実行するよう構成されてよい。
【手続補正７】
【補正対象書類名】明細書
【補正対象項目名】０２５６
【補正方法】変更
【補正の内容】
【０２５６】
具体的には、本願発明の本実施形態において説明されている測位サーバは、図２から図９を参照して説明されている本発明の方法の複数の実施形態におけるいくつかの、または全ての処理を実行するよう構成されてよい。
【国際調査報告】
2019536016.tif 000021
2019536016.tif 000022
2019536016.tif 000023
2019536016.tif 000024